(57)【特許請求の範囲】
【請求項１】
融資先の個人の信用度を判定する融資先信用度判定プログラムにおいて、
新たに信用度を判定する融資先の個人の最近の財務情報と消費行動情報を取得する情報取得ステップと、
予め取得した過去の融資先の個人の財務内容に関する参照用財務情報と、当該個人の消費行動に関する参照用消費行動情報とを有する組み合わせと、信用度との３段階以上の連関度を参照し、上記情報取得ステップにおいて取得した財務情報と消費行動情報とに基づき、融資先の個人の信用度を判定する判定ステップとをコンピュータに実行させること
を特徴とする融資先信用度判定プログラム。
【請求項２】
融資先の個人の信用度を判定する融資先信用度判定プログラムにおいて、
新たに信用度を判定する融資先の個人の最近の財務情報と当該個人が行った取引に関する取引情報を取得する情報取得ステップと、
予め取得した過去の融資先の個人の財務内容に関する参照用財務情報と、当該個人が行った取引に関する参照用取引情報とを有する組み合わせと、信用度との３段階以上の連関度を参照し、上記情報取得ステップにおいて取得した財務情報と取引情報とに基づき、融資先の個人の信用度を判定する判定ステップとをコンピュータに実行させること
を特徴とする融資先信用度判定プログラム。
【請求項３】
融資先の個人の信用度を判定する融資先信用度判定プログラムにおいて、
新たに信用度を判定する融資先の個人の最近の財務情報と当該個人の信用履歴に関する信用履歴情報を取得する情報取得ステップと、
予め取得した過去の融資先の個人の財務内容に関する参照用財務情報と、当該個人の信用履歴に関する参照用信用履歴情報とを有する組み合わせと、信用度との３段階以上の連関度を参照し、上記情報取得ステップにおいて取得した財務情報と信用履歴情報とに基づき、融資先の個人の信用度を判定する判定ステップとをコンピュータに実行させること
を特徴とする融資先信用度判定プログラム。
【請求項４】
融資先の個人の信用度を判定する融資先信用度判定プログラムにおいて、
新たに信用度を判定する融資先の個人の最近の財務情報と当該個人の人脈に関する人脈情報を取得する情報取得ステップと、
予め取得した過去の融資先の個人の財務内容に関する参照用財務情報と、当該個人の人脈に関する参照用人脈情報とを有する組み合わせと、信用度との３段階以上の連関度を参照し、上記情報取得ステップにおいて取得した財務情報と人脈情報とに基づき、融資先の個人の信用度を判定する判定ステップとをコンピュータに実行させること
を特徴とする融資先信用度判定プログラム。
【請求項５】
融資先の個人の信用度を判定する融資先信用度判定プログラムにおいて、
新たに信用度を判定する融資先の個人の最近の財務情報と当該個人の顔画像及び／又は音声からなる第一印象情報を取得する情報取得ステップと、
予め取得した過去の融資先の個人の財務内容に関する参照用財務情報と、当該個人の顔画像及び／又は音声からなる参照用第一印象情報とを有する組み合わせと、信用度との３段階以上の連関度を参照し、上記情報取得ステップにおいて取得した財務情報と第一印象情報とに基づき、融資先の個人の信用度を判定する判定ステップとをコンピュータに実行させること
を特徴とする融資先信用度判定プログラム。
【請求項６】
融資先の個人の信用度を判定する融資先信用度判定プログラムにおいて、
新たに信用度を判定する融資先の個人の最近の財務情報と当該個人の性格に関する性格情報を取得する情報取得ステップと、
予め取得した過去の融資先の個人の財務内容に関する参照用財務情報と、当該個人の性格に関する参照用性格情報とを有する組み合わせと、信用度との３段階以上の連関度を参照し、上記情報取得ステップにおいて取得した財務情報と性格情報とに基づき、融資先の個人の信用度を判定する判定ステップとをコンピュータに実行させること
を特徴とする融資先信用度判定プログラム。
【請求項７】
融資先の個人の信用度を判定する融資先信用度判定プログラムにおいて、
新たに信用度を判定する融資先の個人の最近の財務情報と当該個人の将来性に関する将来性情報を取得する情報取得ステップと、
予め取得した過去の融資先の個人の財務内容に関する参照用財務情報と、当該個人の将来性に関する参照用将来性情報とを有する組み合わせと、信用度との３段階以上の連関度を参照し、上記情報取得ステップにおいて取得した財務情報と将来性情報とに基づき、融資先の個人の信用度を判定する判定ステップとをコンピュータに実行させること
を特徴とする融資先信用度判定プログラム。
【請求項８】
融資先の個人の信用度を判定する融資先信用度判定プログラムにおいて、
新たに信用度を判定する融資先の個人の最近の財務情報と当該個人の趣味又は特技に関する趣向情報を取得する情報取得ステップと、
予め取得した過去の融資先の個人の財務内容に関する参照用財務情報と、当該個人の趣味又は特技に関する参照用趣向情報とを有する組み合わせと、信用度との３段階以上の連関度を参照し、上記情報取得ステップにおいて取得した財務情報と趣向情報とに基づき、融資先の個人の信用度を判定する判定ステップとをコンピュータに実行させること
を特徴とする融資先信用度判定プログラム。
【請求項９】
融資先の個人の信用度を判定する融資先信用度判定プログラムにおいて、
新たに信用度を判定する融資先の個人の最近の財務情報と当該個人の属性に関する属性情報を取得する情報取得ステップと、
予め取得した過去の融資先の個人の財務内容に関する参照用財務情報と、当該個人の属性に関する参照用属性情報とを有する組み合わせと、信用度との３段階以上の連関度を参照し、上記情報取得ステップにおいて取得した財務情報と属性情報とに基づき、融資先の個人の信用度を判定する判定ステップとをコンピュータに実行させること
を特徴とする融資先信用度判定プログラム。
【請求項１０】
融資先の個人の信用度を判定する融資先信用度判定プログラムにおいて、
新たに信用度を判定する融資先の個人の最近の財務情報と当該個人の属する地域に関する地域情報を取得する情報取得ステップと、
予め取得した過去の融資先の個人の財務内容に関する参照用財務情報と、当該個人の属する地域に関する参照用地域情報とを有する組み合わせと、信用度との３段階以上の連関度を参照し、上記情報取得ステップにおいて取得した財務情報と地域情報とに基づき、融資先の個人の信用度を判定する判定ステップとをコンピュータに実行させること
を特徴とする融資先信用度判定プログラム。
【請求項１１】
融資先の個人の信用度を判定する融資先信用度判定プログラムにおいて、
新たに信用度を判定する融資先の個人の最近の財務情報と当該個人の評判に関する評判情報を取得する情報取得ステップと、
予め取得した過去の融資先の個人の財務内容に関する参照用財務情報と、当該個人の評判に関する参照用評判情報とを有する組み合わせと、信用度との３段階以上の連関度を参照し、上記情報取得ステップにおいて取得した財務情報と評判情報とに基づき、融資先の個人の信用度を判定する判定ステップとをコンピュータに実行させること
を特徴とする融資先信用度判定プログラム。
【請求項１２】
融資先の法人の信用度を判定する融資先信用度判定プログラムにおいて、
新たに信用度を判定する融資先の法人の最近の財務情報と当該財務情報に対して発表された専門家の意見が反映された専門家意見情報を取得する情報取得ステップと、
予め取得した過去の融資先の法人の財務内容に関する参照用財務情報と、当該参照用財務情報に対して発表された専門家の意見が反映された参照用専門家意見情報とを有する組み合わせと、信用度との３段階以上の連関度を参照し、上記情報取得ステップにおいて取得した財務情報と専門家意見情報とに基づき、融資先の法人の信用度を判定する判定ステップとをコンピュータに実行させること
を特徴とする融資先信用度判定プログラム。
【請求項１３】
融資先の法人の信用度を判定する融資先信用度判定プログラムにおいて、
新たに信用度を判定する融資先の法人の最近の財務情報と当該法人が行った取引に関する取引情報を取得する情報取得ステップと、
予め取得した過去の融資先の法人の財務内容に関する参照用財務情報と、当該法人が行った取引に関する参照用取引情報とを有する組み合わせと、信用度との３段階以上の連関度を参照し、上記情報取得ステップにおいて取得した財務情報と取引情報とに基づき、融資先の法人の信用度を判定する判定ステップとをコンピュータに実行させること
を特徴とする融資先信用度判定プログラム。
【請求項１４】
融資先の法人の信用度を判定する融資先信用度判定プログラムにおいて、
新たに信用度を判定する融資先の法人の最近の財務情報と当該法人の信用履歴に関する信用履歴情報を取得する情報取得ステップと、
予め取得した過去の融資先の法人の財務内容に関する参照用財務情報と、当該法人の信用履歴に関する参照用信用履歴情報とを有する組み合わせと、信用度との３段階以上の連関度を参照し、上記情報取得ステップにおいて取得した財務情報と信用履歴情報とに基づき、融資先の法人の信用度を判定する判定ステップとをコンピュータに実行させること
を特徴とする融資先信用度判定プログラム。
【請求項１５】
融資先の法人の信用度を判定する融資先信用度判定プログラムにおいて、
新たに信用度を判定する融資先の法人の最近の財務情報と当該法人の倫理性に関する企業倫理情報を取得する情報取得ステップと、
予め取得した過去の融資先の法人の財務内容に関する参照用財務情報と、当該法人の倫理性に関する参照用企業倫理情報とを有する組み合わせと、信用度との３段階以上の連関度を参照し、上記情報取得ステップにおいて取得した財務情報と企業倫理情報とに基づき、融資先の法人の信用度を判定する判定ステップとをコンピュータに実行させること
を特徴とする融資先信用度判定プログラム。
【請求項１６】
融資先の法人の信用度を判定する融資先信用度判定プログラムにおいて、
新たに信用度を判定する融資先の法人の最近の財務情報と当該法人の属する業界に関する業界情報を取得する情報取得ステップと、
予め取得した過去の融資先の法人の財務内容に関する参照用財務情報と、当該法人の属する業界に関する参照用業界情報とを有する組み合わせと、信用度との３段階以上の連関度を参照し、上記情報取得ステップにおいて取得した財務情報と業界情報とに基づき、融資先の法人の信用度を判定する判定ステップとをコンピュータに実行させること
を特徴とする融資先信用度判定プログラム。
【請求項１７】
融資先の法人の信用度を判定する融資先信用度判定プログラムにおいて、
新たに信用度を判定する融資先の法人の最近の財務情報と当該法人の経営者に関する経営者情報を取得する情報取得ステップと、
予め取得した過去の融資先の法人の財務内容に関する参照用財務情報と、当該法人の経営者に関する参照用経営者情報とを有する組み合わせと、信用度との３段階以上の連関度を参照し、上記情報取得ステップにおいて取得した財務情報と経営者情報とに基づき、融資先の法人の信用度を判定する判定ステップとをコンピュータに実行させること
を特徴とする融資先信用度判定プログラム。
【請求項１８】
融資先の法人の信用度を判定する融資先信用度判定プログラムにおいて、
新たに信用度を判定する融資先の法人の最近の財務情報と当該法人の属する地域に関する地域情報を取得する情報取得ステップと、
予め取得した過去の融資先の法人の財務内容に関する参照用財務情報と、当該法人の属する地域に関する参照用地域情報とを有する組み合わせと、信用度との３段階以上の連関度を参照し、上記情報取得ステップにおいて取得した財務情報と地域情報とに基づき、融資先の法人の信用度を判定する判定ステップとをコンピュータに実行させること
を特徴とする融資先信用度判定プログラム。
【請求項１９】
融資先の法人の信用度を判定する融資先信用度判定プログラムにおいて、
新たに信用度を判定する融資先の法人の最近の財務情報と当該法人の評判に関する評判情報を取得する情報取得ステップと、
予め取得した過去の融資先の法人の財務内容に関する参照用財務情報と、当該法人の評判に関する参照用評判情報とを有する組み合わせと、信用度との３段階以上の連関度を参照し、上記情報取得ステップにおいて取得した財務情報と評判情報とに基づき、融資先の法人の信用度を判定する判定ステップとをコンピュータに実行させること
を特徴とする融資先信用度判定プログラム。
【発明の詳細な説明】
【技術分野】
【０００１】
本発明は、融資を行うか否かを判別する上で、その融資先の個人や企業の信用度を高精度に判定する上で好適な融資先信用度判定プログラムに関する。
【背景技術】
【０００２】
金融機関が個人や企業に対して融資を行う際には、銀行員が融資先の個人や企業の信用度を判定する。この信用度の判定は、その融資先の過去の決算書や業績等、様々な情報を勘案した上で行うことになる。しかしながら、判定しなければならない融資先企業の数が多い場合等には判定作業が遅れてしまう場合もあり、また判定作業の労力の負担を軽減する必要もあった。一方、この融資判定は、一企業にとって融資を受けられるか否かが死活問題になる場合もあることから、高い判定精度が求められる。従来において、このような融資判定を自動的かつ高精度に行ってくれるシステムは提案されていないのが現状であった。
【発明の概要】
【発明が解決しようとする課題】
【０００３】
そこで本発明は、上述した問題点に鑑みて案出されたものであり、その目的とするところは、金融機関が融資を行うか否かを判別する上で、その融資先企業の信用度を自動的かつ高精度に判定することが可能な融資先信用度判定プログラムを提供することにある。
【課題を解決するための手段】
【０００４】
上述した課題を解決するために、本発明に係る融資先信用度判定プログラムは、融資先の個人の信用度を判定する融資先信用度判定プログラムにおいて、新たに信用度を判定する融資先の個人の最近の財務情報と消費行動情報を取得する情報取得ステップと、予め取得した過去の融資先の個人の財務内容に関する参照用財務情報と、当該個人の消費行動に関する参照用消費行動情報とを有する組み合わせと、信用度との３段階以上の連関度を参照し、上記情報取得ステップにおいて取得した財務情報と消費行動情報とに基づき、融資先の個人の信用度を判定する判定ステップとをコンピュータに実行させることを特徴とする。
【発明の効果】
【０００５】
特段のスキルや経験が無くても、金融機関が融資を行うか否かを判別する上で、その融資先企業の信用度を自動的かつ高精度に判定することが可能となる。
【図面の簡単な説明】
【０００６】
【図１】本発明を適用したシステムの全体構成を示すブロック図である。
【図２】探索装置の具体的な構成例を示す図である。
【図３】本発明の動作について説明するための図である。
【図４】本発明の動作について説明するための図である。
【図５】本発明の動作について説明するための図である。
【図６】本発明の動作について説明するための図である。
【図７】本発明の動作について説明するための図である。
【図８】本発明の動作について説明するための図である。
【図９】本発明の動作について説明するための図である。
【図１０】本発明の動作について説明するための図である。
【図１１】本発明の動作について説明するための図である。
【図１２】本発明の動作について説明するための図である。
【発明を実施するための形態】
【０００７】
以下、本発明を適用した融資先信用度判定プログラムについて、図面を参照しながら詳細に説明をする。
【０００８】
第1実施形態
図１は、本発明を適用した融資先信用度判定プログラムが実装される融資先信用度判定システム１の全体構成を示すブロック図である。融資先信用度判定システム１は、情報取得部９と、情報取得部９に接続された探索装置２と、探索装置２に接続されたデータベース３とを備えている。
【０００９】
情報取得部９は、本システムを活用する者が各種コマンドや情報を入力するためのデバイスであり、具体的にはキーボードやボタン、タッチパネル、マウス、スイッチ等により構成される。情報取得部９は、テキスト情報を入力するためのデバイスに限定されるものではなく、マイクロフォン等のような音声を検知してこれをテキスト情報に変換可能なデバイスで構成されていてもよい。また情報取得部９は、カメラ等の画像を撮影可能な撮像装置として構成されていてもよい。情報取得部９は、紙媒体の書類から文字列を認識できる機能を備えたスキャナで構成されていてもよい。また情報取得部９は、後述する判別装置２と一体化されていてもよい。情報取得部９は、検知した情報を判別装置２へと出力する。また情報取得部９は地図情報をスキャニングすることで位置情報を特定する手段により構成されていてもよい。また情報取得部９は、温度センサ、湿度センサ、風向センサ、を測るための照度センサで構成されていてもよい。また情報取得部９は、天候についてのデータを気象庁や民間の天気予報会社から取得する通信インターフェースで構成されていてもよい。また情報取得部９は身体に装着して身体のデータを検出するための身体センサで構成されていてもよく、この身体センサは、例えば体温、心拍数、血圧、歩数、歩く速度、加速度を検出するためのセンサで構成されていてもよい。また身体センサは人間のみならず動物の生体データを取得するものであってもよい。また情報取得部９は図面等の情報をスキャニングしたり、或いはデータベースから読み出すことで取得するデバイスとして構成されていてもよい。情報取得部９は、これら以外に臭気や香りを検知する臭気センサにより構成されていてもよい。
【００１０】
データベース３は、融資先信用度判定を行う上で必要な様々な情報が蓄積される。株融資先信用度判定を行う上で必要な情報としては、過去の融資先の個人や企業の財務内容を含む参照用財務情報、企業から取得した経営計画に関する参照用経営計画情報、企業が保有していた知的資産に関する参照用知的資産情報、過去のある時点における市況に関する参照用市況情報、過去のある時期における外部環境に関する参照用外部環境情報と、過去において判定された信用度とのデータセットが記憶されている。
【００１１】
つまり、データベース３には、このような参照用財務情報に加え、参照用経営計画情報、参照用知的資産情報、参照用市況情報、参照用外部環境情報の何れか１以上と、過去において判定された信用度とが互いに紐づけられて記憶されている。ちなみにこの過去に置いて判定された信用度は、実際に過去において判定された個人のみならず、架空のペルソナを設定し、これについて金融機関等が判定した信用度を学習データに含めてもよい。
【００１２】
探索装置２は、例えば、パーソナルコンピュータ（ＰＣ）等を始めとした電子機器で構成されているが、ＰＣ以外に、携帯電話、スマートフォン、タブレット型端末、ウェアラブル端末等、他のあらゆる電子機器で具現化されるものであってもよい。ユーザは、この探索装置２による探索解を得ることができる。
【００１３】
図２は、探索装置２の具体的な構成例を示している。この探索装置２は、探索装置２全体を制御するための制御部２４と、操作ボタンやキーボード等を介して各種制御用の指令を入力するための操作部２５と、有線通信又は無線通信を行うための通信部２６と、各種判断を行う推定部２７と、ハードディスク等に代表され、実行すべき検索を行うためのプログラムを格納するための記憶部２８とが内部バス２１にそれぞれ接続されている。さらに、この内部バス２１には、実際に情報を表示するモニタとしての表示部２３が接続されている。
【００１４】
制御部２４は、内部バス２１を介して制御信号を送信することにより、探索装置２内に実装された各構成要素を制御するためのいわゆる中央制御ユニットである。また、この制御部２４は、操作部２５を介した操作に応じて各種制御用の指令を内部バス２１を介して伝達する。
【００１５】
操作部２５は、キーボードやタッチパネルにより具現化され、プログラムを実行するための実行命令がユーザから入力される。この操作部２５は、上記実行命令がユーザから入力された場合には、これを制御部２４に通知する。この通知を受けた制御部２４は、推定部２７を始め、各構成要素と協調させて所望の処理動作を実行していくこととなる。この操作部２５は、前述した情報取得部９として具現化されるものであってもよい。
【００１６】
推定部２７は、探索解を推定する。この推定部２７は、推定動作を実行するに当たり、必要な情報として記憶部２８に記憶されている各種情報や、データベース３に記憶されている各種情報を読み出す。この推定部２７は、人工知能により制御されるものであってもよい。この人工知能はいかなる周知の人工知能技術に基づくものであってもよい。
【００１７】
表示部２３は、制御部２４による制御に基づいて表示画像を作り出すグラフィックコントローラにより構成されている。この表示部２３は、例えば、液晶ディスプレイ（ＬＣＤ）等によって実現される。
【００１８】
記憶部２８は、ハードディスクで構成される場合において、制御部２４による制御に基づき、各アドレスに対して所定の情報が書き込まれるとともに、必要に応じてこれが読み出される。また、この記憶部２８には、本発明を実行するためのプログラムが格納されている。このプログラムは制御部２４により読み出されて実行されることになる。
【００１９】
上述した構成からなる融資先信用度判定システム１における動作について説明をする。
【００２０】
融資先信用度判定システム１では、例えば図３に示すように、参照用財務情報と、信用度との３段階以上の連関度が予め設定され、取得されていることが前提となる。参照用財務情報とは、企業であれば、過去に審査した企業の決算内容が反映されたものである。つまり、これから融資先信用度を判定しようとする現時点があったときに、これよりも以前に審査を行った企業の過去の決算内容が反映されたものが参照用財務情報である。この参照用財務情報の例としては、その決算内容を提供してもらった企業の決算書等を始めとしたあらゆる決算に関するデータであり、例えば決算書に記載された帳簿情報、財務情報の数値が中心であり、流動比率、流動負債、自己資本比率  株主資本、総資本、ギアリング比率、有利子負債、自己資本、売上高経常利益率、経常利益、売上高、総資本経常利益率、経常利益、総資本、当期利益額、経常利益増加率、当期経常利益、前期経常利益、売上高、返済能力、債務償還年数、有利子負債、運転資金、キャッシュフロー、営業利益、減価償却費等である。参照用財務情報には、これらの決算書の数値以外に、債務超過になっていないか、役員からの借入金や棚卸資産（在庫）等がどの程度あるか等も含めるようにしてもよい。これらの参照用財務情報は１年分であっても数年分であってもよい。
【００２１】
また参照用財務情報は、融資先が個人商店である場合も同様に、過去に審査した企業の決算内容が反映されたもので構成されていてもよい。また参照用財務情報は、融資先が個  人である場合は、給料の明細書や源泉徴収票等のデータから取得するものであってもよい。
【００２２】
参照用財務情報は、法人や個人の財務状態を示すあらゆる情報が含まれ、自営業者の確定申告書に記述された情報、法人の財務情報に記述された情報、個人の源泉徴収票（年収）に記述された情報、現状の資産を示す情報、保有する不動産に関する情報、保有する不動産に住み続けている年数等も含まれる。これに加えて、現状保有している現金の額、金融資産の額、債権の種類などもこの参照用財務情報に含めてもよい。これらの参照用財務情報としては、担保物件の状況や他の借り入れ状況等も含まれる。参照用財務情報は、例えば、源泉徴収票、給与明細書、確定申告書、住民税決定通知書、課税証明書等の記載を画像解析、必要に応じてディープラーニング技術を利用し、解析画像の特徴量に基づいて自動判別し、データ化してもよい。また財務情報は、不動産購入予定者の実際の財務状態をベースとした実際の借入希望金額で表されるものであってもよい。
【００２３】
信用度は、「正常」、「要注意」、「破綻可能性有」、「実質破綻」、「破綻」等とランク付けするようにしてもよいし、スコアで表示し、１０００点が最も信用度が高く、０点が最も信用度が低いものとしてもよい。またこの最も信用が高いスコアは、１０００点以外のいかなる点数であってもよい。この信用度は、参照用財務情報との間でのデータセットとして事前に収集される。この信用度は例えば以前金融機関において判断を行った記録などがあればそれをそのまま用いるようにしてもよい。また同一又は類似の参照用財務情報で、融資が認められた件数と、融資が下りなかった件数とから信用度を算出するようにしてもよい。ちなみに、この信用度は、参照用財務情報を提供した企業に対して付されたものである。このため、過去の審査において、参照用財務情報を提供してもらった企業と、その企業に対して付された信用度を取得することで、これらのデータセットを取得することができる。このような事例を数多く集めておく。財務情報は、企業間において完全に同一の財務情報はないことから、財務情報自体を類型化しておくよういしてもよい。つまり図３の参照用財務情報Ｐ０１〜Ｐ０３は類型別に分類した財務情報であってもよく、例えば、利益率や利益の額等により区切ることで分類するようにしてもよい。また、パターン（例えば、売掛金が多い、接待費が多い、サービス業のため在庫を持たない）等により類型化されていてもよい。
【００２４】
つまり、この参照用財務情報と、信用度のデータセットを通じて、参照用財務情報において生じた様々な決算に関するデータが、融資審査においてどのように判定されたかが分かる。つまり参照用財務情報に記述された決算データと信用度とがデータセットとなっている。このため、参照用財務情報と信用度のデータセットを集めておくことにより、過去どのような決算内容となった後の審査で、信用度がどのように判定されたかを知ることが可能となる。
【００２５】
図３の例では、入力データとして例えば参照用財務情報Ｐ０１〜Ｐ０３であるものとする。このような入力データとしての参照用財務情報は、出力に連結している。この出力においては、出力解としての、信用度が表示されている。
【００２６】
参照用財務情報は、この出力解としての信用度に対して３段階以上の連関度を通じて互いに連関しあっている。参照用財務情報がこの連関度を介して左側に配列し、信用度が連関度を介して右側に配列している。連関度は、左側に配列された参照用財務情報に対して、何れの信用度と関連性が高いかの度合いを示すものである。換言すれば、この連関度は、各参照用財務情報が、いかなる信用度に紐付けられる可能性が高いかを示す指標であり、参照用財務情報から最も確からしいる信用度を選択する上での的確性を示すものである。図３の例では、連関度としてｗ１３〜ｗ１９が示されている。このｗ１３〜ｗ１９は以下の表１に示すように１０段階で示されており、１０点に近いほど、中間ノードとしての各組み合わせが出力としての信用度と互いに関連度合いが高いことを示しており、逆に１点に近いほど中間ノードとしての各組み合わせが出力としての信用度と互いに関連度合いが低いことを示している。
【００２７】
【表１】
0006912837.tif 000002
【００２８】
探索装置２は、このような図３に示す３段階以上の連関度ｗ１３〜ｗ１９を予め取得しておく。つまり探索装置２は、実際の探索解の判別を行う上で、参照用財務情報と、その場合の信用度の何れが採用されたか、過去のデータを蓄積しておき、これらを分析、解析することで図３に示す連関度を作り上げておく。
【００２９】
例えば、ある参照用財務情報が、「破綻可能性有」と判定されたものとする。であるものとする。このような状況において、類似のパターンの参照用財務情報が、「破綻可能性有」と判定されたものが同様に多かったものとする。このような場合には、「破綻可能性有」の連関度が強くなる。これに対して、全く同じ参照用財務情報のパターン（分類）において、「実質破綻」と判定されたものが多く、「破綻可能性有」と判定されたものが少なかったものとする。かかる場合には、「実質破綻」の連関度が強くなり、「破綻可能性有」の連関度が低くなる。
【００３０】
この分析、解析は人工知能により行うようにしてもよい。かかる場合には、例えば参照用財務情報Ｐ０１である場合に、過去の信用度の判定結果のデータから分析する。これは、例えば金融機関において保管されている過去の融資審査における信用度の判定結果のデータから抽出するようにしてもよい。参照用財務情報Ｐ０１である場合に、「破綻可能性有」の事例が多い場合には、この「破綻可能性有」につながる連関度をより高く設定し、「実質破綻」の事例が多い場合には、この「実質破綻」につながる連関度をより高く設定する。例えば参照用財務情報Ｐ０１の例では、「破綻可能性有」と「実質破綻」にリンクしているが、以前の事例から「破綻可能性有」につながるｗ１３の連関度を７点に、「実質破綻」につながるｗ１４の連関度を２点に設定している。
【００３１】
また、この図３に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００３２】
かかる場合には、図４に示すように、入力データとして参照用供給量データが入力され、出力データとして各需給環境が出力され、入力ノードと出力ノードの間に少なくとも１以上の隠れ層が設けられ、機械学習させるようにしてもよい。また、逆に需給環境が入力で参照用供給量データが出力となるように構成されていてもよい。
【００３３】
このような連関度が、人工知能でいうところの学習済みデータとなる。このような学習済みデータを作った後に、実際にこれから新たに信用度の判定を行う上で、上述した学習済みデータを利用して信用度を予測することとなる。かかる場合には、実際に新たに信用度を判定する融資先企業の最近の財務情報を取得する。この財務情報は、最近１年分であっても数年分であってもよい。この財務情報は、上述した参照用財務情報と同種のデータで構成される。
【００３４】
新たに取得する財務情報は、上述した情報取得部９により入力される。情報取得部９は、このような財務情報を電子データとして取得するようにしてもよい。
【００３５】
このようにして新たに取得した財務情報に基づいて、実際にその財務情報に対して、判定される可能性の高い信用度を探索する。かかる場合には、予め取得した図３（表１）に示す連関度を参照する。例えば、新たに取得した財務情報がＰ０２と同一かこれに類似するものである場合には、連関度を介して「正常」がｗ１５、「実質破綻」が連関度ｗ１６で関連付けられている。かかる場合には、連関度の最も高い「正常」を最適解として選択する。但し、最も連関度の高いものを最適解として選択することは必須ではなく、連関度は低いものの連関性そのものは認められる「実質破綻」を最適解として選択するようにしてもよい。また、これ以外に矢印が繋がっていない出力解を選択してもよいことは勿論であり、連関度に基づくものであれば、その他いかなる優先順位で選択されるものであってもよい。
【００３６】
このようにして、新たに取得する財務情報から、判定すべき信用度を探索し、ユーザ（コンサルタント、銀行員、顧客）に表示することができる。この探索結果を見ることにより、ユーザは、探索された信用度に基づいて、融資先候補の信用の程度把握することができる。ちなみに、この信用度を出力する過程において、単に探索された信用度のみを表示する以外に、この信用度に基づいて、具体的にどの程度融資すべきかまでを表示することで助言を構成するようにしてもよい。
【００３７】
図５の例では、入力データとして例えば参照用財務情報Ｐ０１〜Ｐ０３、参照用経営計画情報Ｐ１４〜１７であるものとする。このような入力データとしての、参照用財務情報に対して、参照用経営計画情報が組み合わさったものが、図５に示す中間ノードである。各中間ノードは、更に出力に連結している。この出力においては、出力解としての、各信用度が表示されている。
【００３８】
図５の例では、参照用財務情報と、参照用経営計画情報との組み合わせが形成されていることが前提となる。参照用経営計画情報とは、経営計画書の内容に関するものである。経営計画書の内容の例としては、ビジョン、行動指針、経営方針、目標、機会・脅威と強みの分析(内部・外部環境分析)、目標とのギャップ分析、中期経営計画(必要性と策定手順)、単年度経営計画、売上目標等、一般的な経営計画書に記載されている情報からなるものである。参照用経営計画情報は、以前審査を行った企業から取得したものを利用するようにしてもよい。その審査を行った企業から、参照用財務情報と、参照用経営計画情報とこれに対する信用度の判定結果を取得することとなる。
【００３９】
参照用経営計画情報は、企業間において完全に同一の経営計画書はないことから、経営計画自体を類型化しておくようにしてもよい。つまり図５の参照用経営計画情報Ｐ１４〜Ｐ１７は類型別に分類した情報であってもよく、例えば、売り上げ目標や経営方針等により区切ることで分類するようにしてもよい。また、パターン（例えば、単年度経営計画のパターンやビジョンのパターン）等により類型化されていてもよい。
【００４０】
図５の例では、入力データとして例えば参照用財務情報Ｐ０１〜Ｐ０３、参照用経営計画情報Ｐ１４〜１７であるものとする。このような入力データとしての、参照用財務情報に対して、参照用経営計画情報が組み合わさったものが、図５に示す中間ノードである。各中間ノードは、更に出力に連結している。この出力においては、出力解としての信用度が表示されている。
【００４１】
参照用財務情報と参照用経営計画情報との各組み合わせ（中間ノード）は、この出力解としての信用度に対して３段階以上の連関度を通じて互いに連関しあっている。参照用財務情報と参照用経営計画情報がこの連関度を介して左側に配列し、信用度が連関度を介して右側に配列している。連関度は、左側に配列された参照用財務情報と参照用経営計画情報に対して、各信用度と関連性が高いかの度合いを示すものである。換言すれば、この連関度は、各参照用財務情報と参照用経営計画情報が、いかなる信用度に紐付けられる可能性が高いかを示す指標であり、参照用財務情報と参照用経営計画情報から最も確からしい各信用度を選択する上での的確性を示すものである。財務情報に加え、実際にその経営計画に応じて、その後の事業の成功確率も踏まえて判断することができ、資金回収の可能性は異なるものとなる。このため、これらの参照用財務情報と参照用経営計画情報の組み合わせで、最適な信用度を探索していくこととなる。
【００４２】
図５の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【００４３】
探索装置２は、このような図５に示す３段階以上の連関度ｗ１３〜ｗ２２を予め取得しておく。つまり探索装置２は、実際の探索解の判別を行う上で参照用財務情報と参照用経営計画情報、並びにその場合の信用度の何れが好適であったか、過去のデータを蓄積しておき、これらを分析、解析することで図５に示す連関度を作り上げておく。
【００４４】
この分析、解析は人工知能により行うようにしてもよい。かかる場合には、例えば参照用財務情報Ｐ０１で、参照用経営計画情報Ｐ１６である場合に、その信用度を過去のデータから分析する。信用度が「破綻可能性有」の事例が多い場合には、この「破綻可能性有」につながる連関度をより高く設定し、「正常」の事例が多く、「破綻可能性有」の事例が少ない場合には、「正常」につながる連関度を高くし、「破綻可能性有」につながる連関度を低く設定する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【００４５】
また、この図５に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００４６】
図５に示す連関度の例で、ノード６１ｂは、参照用財務情報Ｐ０１に対して、参照用経営計画情報Ｐ１４の組み合わせのノードであり、「実質破綻」の連関度がｗ１５、「要管理先」の連関度がｗ１６となっている。ノード６１ｃは、参照用財務情報Ｐ０２に対して、参照用経営計画情報Ｐ１５、Ｐ１７の組み合わせのノードであり、信用度の連関度がｗ１７、信用度の連関度がｗ１８となっている。
【００４７】
このような連関度が、人工知能でいうところの学習済みデータとなる。このような学習済みデータを作った後に、実際にこれから信用度判定のための探索を行う際において、上述した学習済みデータを利用して行うこととなる。かかる場合には、新たに信用度の判定を行う企業から財務情報に加え、経営計画情報を取得する。この経営計画情報は、上述した参照用経営計画情報に対応するものであり、その判定対象の企業の目標とのギャップ分析、中期経営計画等のデータを取り込み、又は直接的に入力するようにしてもよい。
【００４８】
このようにして新たに取得した財務情報、経営計画情報に基づいて、最適な信用度を探索する。かかる場合には、予め取得した図５（表１）に示す連関度を参照する。例えば、新たに取得した財務情報がＰ０２と同一かこれに類似するものである場合であって、経営計画情報がＰ１７と同一かこれに類似する場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【００４９】
また、入力から伸びている連関度ｗ１〜ｗ１２の例を以下の表２に示す。
【００５０】
【表２】
0006912837.tif 000003
【００５１】
この入力から伸びている連関度ｗ１〜ｗ１２に基づいて中間ノード６１が選択されていてもよい。つまり連関度ｗ１〜ｗ１２が大きいほど、中間ノード６１の選択における重みづけを重くしてもよい。しかし、この連関度ｗ１〜ｗ１２は何れも同じ値としてもよく、中間ノード６１の選択における重みづけは何れも全て同一とされていてもよい。
【００５２】
図６は、上述した参照用財務情報と、参照用市場将来性情報との組み合わせと、当該組み合わせに対する信用度との３段階以上の連関度が設定されている例を示している。
【００５３】
参照用市場将来性情報とは、その企業が製品やサービスを提供しようとする市場の将来性に関するあらゆるデータである。この参照用市場将来性情報は、どの市場におけるブログ、アナリストレポート、有価証券報告書、広告、プレスリリース、ニュース記事等に基づく様々なデータを含む。参照用市場将来性情報は、市場将来性自体を類型化しておくようにしてもよい。つまり図６の参照用市場将来性情報Ｐ１８〜Ｐ２１は類型別に分類した情報であってもよく、例えば、アナリストにより市場の伸び率が年〇％以上あるか否かにより区切ることで分類するようにしてもよい。また、パターン（例えば、市場の伸び率が急激が、あるいは徐々に増加するか等のパターン）等により類型化されていてもよい。
【００５４】
図６の例では、入力データとして例えば参照用財務情報Ｐ０１〜Ｐ０３、参照用市場将来性情報Ｐ１８〜２１であるものとする。このような入力データとしての、参照用財務情報に対して、参照用市場将来性情報が組み合わさったものが、図６に示す中間ノードである。各中間ノードは、更に出力に連結している。この出力においては、出力解としての、信用度が表示されている。
【００５５】
参照用財務情報と参照用市場将来性情報との各組み合わせ（中間ノード）は、この出力解としての、信用度に対して３段階以上の連関度を通じて互いに連関しあっている。参照用財務情報と参照用市場将来性情報がこの連関度を介して左側に配列し、信用度が連関度を介して右側に配列している。連関度は、左側に配列された参照用財務情報と参照用市場将来性情報に対して、信用度と関連性が高いかの度合いを示すものである。換言すれば、この連関度は、各参照用財務情報と参照市場将来性情報が、いかなる信用度に紐付けられる可能性が高いかを示す指標であり、参照用財務情報と参照用市場将来性情報から最も確からしい各信用度を選択する上での的確性を示すものである。財務情報に加え、実際の市場将来性がいかなる状態にあるのかに応じて、資金回収の可能性は変化する。このため、これらの参照用財務情報と参照用市場将来性情報の組み合わせで、最適な信用度を探索していくこととなる。
【００５６】
図６の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【００５７】
探索装置２は、このような図６に示す３段階以上の連関度ｗ１３〜ｗ２２を予め取得しておく。つまり探索装置２は、実際の探索解の判別を行う上で、参照用財務情報と参照用市場将来性情報、並びにその場合の信用度が何れが好適であったか、過去のデータを蓄積しておき、これらを分析、解析することで図６に示す連関度を作り上げておく。
【００５８】
この分析、解析は人工知能により行うようにしてもよい。かかる場合には、例えば参照用財務情報Ｐ０１で、参照用市場将来性情報Ｐ２０である場合に、その信用度を過去のデータから分析する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【００５９】
また、この図６に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００６０】
図６に示す連関度の例で、ノード６１ｂは、参照用財務情報Ｐ０１に対して、参照用市場将来性情報Ｐ１８の組み合わせのノードであり、「実質破綻」の連関度がｗ１５、「要管理先」の連関度がｗ１６となっている。ノード６１ｃは、参照用財務情報Ｐ０２に対して、参照用市場将来性情報Ｐ１９、Ｐ２１の組み合わせのノードであり、「正常」の連関度がｗ１７、「要注意先」の連関度がｗ１８となっている。
【００６１】
このような連関度が、人工知能でいうところの学習済みデータとなる。このような学習済みデータを作った後に、実際にこれから助言を行う際において、上述した学習済みデータを利用して行うこととなる。かかる場合には、上述した財務情報に加え、新たに信用度を判定する融資先企業が事業展開する市場の将来性に関す市場将来性情報を取得する。市場将来性情報は、参照用市場将来性情報に対応したものであり、アナリストレポートや有価証券報告書を直接取り込むようにしてもよい。他の統計データであれば、そのデータを直接取得するようにしてもよい。
【００６２】
このようにして新たに取得した財務情報、市場将来性情報に基づいて、信用度を探索する。かかる場合には、予め取得した図６（表１）に示す連関度を参照する。例えば、新たに取得した財務情報がＰ０２と同一かこれに類似するものである場合であって、市場将来性情報がＰ２１である場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【００６３】
図７は、上述した参照用財務情報と、参照用知的資産情報との組み合わせと、当該組み合わせに対する信用度との３段階以上の連関度が設定されている例を示している。
【００６４】
参照用知的資産情報とは、その企業が保有する知的資産に関する情報であり、例えば特許権、実用新案権、意匠権、商標権、著作権等の情報が中心である。この参照用知的資産情報としては、これら以外に出願中の特許や意匠、商標や、企業内において蓄積しているノウハウ、営業情報、顧客情報、製造プロセスに関する知見等、あらゆる知的資産が含まれる参照用知的資産情報は、知的資産自体を類型化しておくようにしてもよい。つまり図７の参照用知的資産情報Ｐ２２〜Ｐ２５は類型別に分類した情報であってもよく、例えば、特許の件数等で分類するようにしてもよい。また、パターン（特許、意匠、商標の比率等のパターン）等により類型化されていてもよい。
【００６５】
図７の例では、入力データとして例えば参照用財務情報Ｐ０１〜Ｐ０３、参照用知的資産情報Ｐ２２〜２５であるものとする。このような入力データとしての、参照用財務情報に対して、参照用知的資産情報が組み合わさったものが、図７に示す中間ノードである。各中間ノードは、更に出力に連結している。この出力においては、出力解としての、信用度が表示されている。
【００６６】
参照用財務情報と参照用知的資産情報との各組み合わせ（中間ノード）は、この出力解としての、信用度に対して３段階以上の連関度を通じて互いに連関しあっている。参照用財務情報と参照用知的資産情報がこの連関度を介して左側に配列し、信用度が連関度を介して右側に配列している。連関度は、左側に配列された参照用財務情報と参照用知的資産情報に対して、信用度と関連性が高いかの度合いを示すものである。換言すれば、この連関度は、各参照用財務情報と参照用知的資産情報が、いかなる信用度に紐付けられる可能性が高いかを示す指標であり、参照用財務情報と参照用知的資産情報から最も確からしい各信用度を選択する上での的確性を示すものである。財務情報に加え、実際の知的資産がいかなる状態にあるのかに応じて、資金回収の可能性は変化する。このため、これらの参照用財務情報と参照用知的資産情報の組み合わせで、最適な信用度を探索していくこととなる。
【００６７】
図７の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【００６８】
探索装置２は、このような図７に示す３段階以上の連関度ｗ１３〜ｗ２２を予め取得しておく。つまり探索装置２は、実際の探索解の判別を行う上で、参照用財務情報と参照用知的資産情報、並びにその場合の信用度が何れが好適であったか、過去のデータを蓄積しておき、これらを分析、解析することで図７に示す連関度を作り上げておく。
【００６９】
この分析、解析は人工知能により行うようにしてもよい。かかる場合には、例えば参照用財務情報Ｐ０１で、参照用知的資産情報Ｐ２４である場合に、その信用度を過去のデータから分析する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【００７０】
また、この図７に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００７１】
図７に示す連関度の例で、ノード６１ｂは、参照用財務情報Ｐ０１に対して、参照用知的資産情報Ｐ２２の組み合わせのノードであり、「実質破綻」の連関度がｗ１５、「要管理先」の連関度がｗ１６となっている。ノード６１ｃは、参照用財務情報Ｐ０２に対して、参照用知的資産情報Ｐ２３、Ｐ２５の組み合わせのノードであり、「正常」の連関度がｗ１７、「要注意先」の連関度がｗ１８となっている。
【００７２】
このような連関度が、人工知能でいうところの学習済みデータとなる。このような学習済みデータを作った後に、実際にこれから助言を行う際において、上述した学習済みデータを利用して行うこととなる。かかる場合には、上述した財務情報に加え、新たに信用度を判定する融資先企業が保有する知的資産に関す知的資産情報を取得する。知的資産情報は、参照用知的資産情報に対応したものであり、保有している特許権等の情報であり、これらを直接取り込むようにしてもよい。他の統計データであれば、そのデータを直接取得するようにしてもよい。
【００７３】
このようにして新たに取得した財務情報、知的資産情報に基づいて、信用度を探索する。かかる場合には、予め取得した図７（表１）に示す連関度を参照する。例えば、新たに取得した財務情報がＰ０２と同一かこれに類似するものである場合であって、知的資産情報がＰ２１である場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【００７４】
図８は、上述した参照用財務情報と、参照用市況情報との組み合わせと、当該組み合わせに対する信用度との３段階以上の連関度が設定されている例を示している。
【００７５】
参照用市況情報とは、市況に関する様々な情報である。ここでいう市況は、一企業、またその企業を含む業界全体、或いは日本全体、世界全体までいかなる範囲をターゲットにしてもよい。この参照用市況情報の例としては、金利、為替、各銘柄の株価、原油、先物、貴金属、ビットコイン等の値動きを対象としたものである。この参照用市況情報は、これらの対象について時系列的なチャートや折れ線グラフ等で表示されていてもよい。またボリンジャーバンド、ＭＡＣＤ、移動平均線等の情報が付されていてもよい。また、この市況情報は、各銘柄の企業のファンダメンタルな指標が盛り込まれていてもよく、年間の売り上げや利益、コストに加えて、PER（株価収益率）、PBR（株価純資産倍率）、ROE（株主資本利益率）等の指標が盛り込まれていてもよい。為替についても各通貨間における値動きを示すチャート、ボリンジャーバンド、ＭＡＣＤ、移動平均線等の情報が付されていてもよい。参照用市況情報は、市場将来性自体を類型化しておくようにしてもよい。つまり図８の参照用市況情報Ｐ２６〜Ｐ２９は類型別に分類した情報であってもよく、例えば、株価の伸び率が年〇％以上あるか否かにより区切ることで分類するようにしてもよい。また、パターン（例えば、株価の伸び率が急激が、あるいは徐々に増加するか等のパターン）等により類型化されていてもよい。
【００７６】
図８の例では、入力データとして例えば参照用財務情報Ｐ０１〜Ｐ０３、参照用市況情報Ｐ２６〜２９であるものとする。このような入力データとしての、参照用財務情報に対して、参照用市況情報が組み合わさったものが、図８に示す中間ノードである。各中間ノードは、更に出力に連結している。この出力においては、出力解としての、信用度が表示されている。
【００７７】
参照用財務情報と参照用市況情報との各組み合わせ（中間ノード）は、この出力解としての、信用度に対して３段階以上の連関度を通じて互いに連関しあっている。参照用財務情報と参照用市況情報がこの連関度を介して左側に配列し、信用度が連関度を介して右側に配列している。連関度は、左側に配列された参照用財務情報と参照用市況情報に対して、信用度と関連性が高いかの度合いを示すものである。換言すれば、この連関度は、各参照用財務情報と参照用市況情報が、いかなる信用度に紐付けられる可能性が高いかを示す指標であり、参照用財務情報と参照用市況情報から最も確からしい各信用度を選択する上での的確性を示すものである。財務情報に加え、実際の市況がいかなる状態にあるのかに応じて、資金回収の可能性は変化する。このため、これらの参照用財務情報と参照用市況情報の組み合わせで、最適な信用度を探索していくこととなる。
【００７８】
図８の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【００７９】
探索装置２は、このような図８に示す３段階以上の連関度ｗ１３〜ｗ２２を予め取得しておく。つまり探索装置２は、実際の探索解の判別を行う上で、参照用財務情報と参照用市況情報、並びにその場合の信用度が何れが好適であったか、過去のデータを蓄積しておき、これらを分析、解析することで図８に示す連関度を作り上げておく。
【００８０】
この分析、解析は人工知能により行うようにしてもよい。かかる場合には、例えば参照用財務情報Ｐ０１で、参照用市況情報Ｐ２８である場合に、その信用度を過去のデータから分析する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【００８１】
また、この図８に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００８２】
図８に示す連関度の例で、ノード６１ｂは、参照用財務情報Ｐ０１に対して、参照用市況情報Ｐ２６の組み合わせのノードであり、「実質破綻」の連関度がｗ１５、「要管理先」の連関度がｗ１６となっている。ノード６１ｃは、参照用財務情報Ｐ０２に対して、参照用市況情報Ｐ２７、Ｐ２９の組み合わせのノードであり、「正常
」の連関度がｗ１７、「要注意先」の連関度がｗ１８となっている。
【００８３】
このような連関度が、人工知能でいうところの学習済みデータとなる。このような学習済みデータを作った後に、実際にこれから助言を行う際において、上述した学習済みデータを利用して行うこととなる。かかる場合には、上述した財務情報に加え、新たに信用度を判定する融資先企業が事業展開する市場の市況や、日本全体、世界全体の市況を映し出す市況情報を取得する。市況情報は、参照用市場将来性情報に対応したものであり、株価や為替のチャート情報を直接取り込むようにしてもよい。他の統計データであれば、そのデータを直接取得するようにしてもよい。
【００８４】
このようにして新たに取得した財務情報、市況情報に基づいて、信用度を探索する。かかる場合には、予め取得した図８（表１）に示す連関度を参照する。例えば、新たに取得した財務情報がＰ０２と同一かこれに類似するものである場合であって、市況情報がＰ２９である場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【００８５】
図９は、上述した参照用財務情報と、参照用外部環境情報との組み合わせと、当該組み合わせに対する信用度との３段階以上の連関度が設定されている例を示している。
【００８６】
参照用外部環境情報とは、外部環境情報に関する様々な情報である。ここでいう外部環境情報は、経済データ（ＧＤＰ、雇用統計、鉱工業生産指数、設備投資、労働力調査等）、家計データ（家計消費状況調査、家計データ、１週間の平均就業時間、貯蓄額の統計データ、年収の統計データ等）、不動産データ（オフィス空室率、坪単価、賃料相場、地価、空き家データ等）、自然環境データ（災害データ、気温データ、降水量データ、風向きデータ、湿度データ等）に代表されるものである。外部環境情報は、これらのデータの一部、全部が反映されるもの以外に、その審査対象の企業の外部のあらゆる情報が含まれる。参照用外部環境情報は、外部環境自体を類型化しておくようにしてもよい。つまり図９の参照用市況情報Ｐ３０〜Ｐ３３は類型別に分類した情報であってもよく、例えば、雇用統計におけるデータで区切ることで分類するようにしてもよい。また、パターン（例えば、ＧＤＰの伸び率が急激が、あるいは徐々に増加するか等のパターン）等により類型化されていてもよい。
【００８７】
図９の例では、入力データとして例えば参照用財務情報Ｐ０１〜Ｐ０３、参照用外部環境情報Ｐ３０〜３３であるものとする。このような入力データとしての、参照用財務情報に対して、参照用外部環境情報が組み合わさったものが、図９に示す中間ノードである。各中間ノードは、更に出力に連結している。この出力においては、出力解としての、信用度が表示されている。
【００８８】
参照用財務情報と参照用外部環境情報との各組み合わせ（中間ノード）は、この出力解としての、信用度に対して３段階以上の連関度を通じて互いに連関しあっている。参照用財務情報と参照用外部環境情報がこの連関度を介して左側に配列し、信用度が連関度を介して右側に配列している。連関度は、左側に配列された参照用財務情報と参照用外部環境情報に対して、信用度と関連性が高いかの度合いを示すものである。換言すれば、この連関度は、各参照用財務情報と参照用外部環境情報が、いかなる信用度に紐付けられる可能性が高いかを示す指標であり、参照用財務情報と参照用外部環境情報から最も確からしい各信用度を選択する上での的確性を示すものである。財務情報に加え、実際の外部環境がいかなる状態にあるのかに応じて、資金回収の可能性は変化する。このため、これらの参照用財務情報と参照用外部環境情報の組み合わせで、最適な信用度を探索していくこととなる。
【００８９】
図９の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【００９０】
探索装置２は、このような図９に示す３段階以上の連関度ｗ１３〜ｗ２２を予め取得しておく。つまり探索装置２は、実際の探索解の判別を行う上で、参照用財務情報と参照用外部環境情報、並びにその場合の信用度が何れが好適であったか、過去のデータを蓄積しておき、これらを分析、解析することで図９に示す連関度を作り上げておく。
【００９１】
この分析、解析は人工知能により行うようにしてもよい。かかる場合には、例えば参照用財務情報Ｐ０１で、参照用外部環境情報Ｐ２８である場合に、その信用度を過去のデータから分析する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【００９２】
また、この図９に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【００９３】
図９に示す連関度の例で、ノード６１ｂは、参照用財務情報Ｐ０１に対して、参照用外部環境情報Ｐ３０の組み合わせのノードであり、「実質破綻」の連関度がｗ１５、「要管理先」の連関度がｗ１６となっている。ノード６１ｃは、参照用財務情報Ｐ０２に対して、参照用外部環境情報Ｐ３１、Ｐ３３の組み合わせのノードであり、「正常」の連関度がｗ１７、「要注意先」の連関度がｗ１８となっている。
【００９４】
このような連関度が、人工知能でいうところの学習済みデータとなる。このような学習済みデータを作った後に、実際にこれから助言を行う際において、上述した学習済みデータを利用して行うこととなる。かかる場合には、上述した財務情報に加え、新たに信用度を判定する融資先企業の外部にある外部環境情報を取得する。外部環境情報は、参照用市場外部環境情報に対応したものであこれらのデータを直接取り込むようにしてもよい。他の統計データであれば、そのデータを直接取得するようにしてもよい。
【００９５】
このようにして新たに取得した財務情報、外部環境情報に基づいて、信用度を探索する。かかる場合には、予め取得した図９（表１）に示す連関度を参照する。例えば、新たに取得した財務情報がＰ０２と同一かこれに類似するものである場合であって、外部環境情報がＰ３３である場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【００９６】
図１０は、上述した参照用財務情報と、参照用経営計画情報に加えて、更に参照用市場将来性情報との組み合わせと、当該組み合わせに対する信用度との３段階以上の連関度が設定されている例を示している。
【００９７】
かかる場合において、連関度は、図１０に示すように、参照用財務情報と、参照用経営計画情報と、参照用市場将来性情報との組み合わせの集合が上述と同様に中間ノードのノード６１ａ〜６１ｅとして表現されることとなる。
【００９８】
例えば、図１０において、ノード６１ｃは、参照用財務情報Ｐ０２が連関度ｗ３で、参照用経営計画情報Ｐ１５が連関度ｗ７で、参照用市場将来性情報Ｐ１９が連関度ｗ１１で連関している。同様にノード６１ｅは、参照用財務情報Ｐ０３が連関度ｗ５で、参照用経営計画情報Ｐ１５が連関度ｗ８で、参照用市場将来性情報Ｐ１８が連関度ｗ１０で連関している。
【００９９】
このような連関度が設定されている場合も同様に、新たに取得した財務情報と、経営計画情報と、経営計画情報とに基づいて探索解を判別する。
【０１００】
この探索解を判別する上で予め取得した図１０に示す連関度を参照する。例えば、取得した財務情報が参照用財務情報Ｐ０２に同一又は類似で、取得した経営計画情報が参照用経営計画情報Ｐ１５に対応し、更に取得した経営計画情報が参照用経営計画情報Ｐ１９に対応する場合、その組み合わせはノード６１ｃが関連付けられており、このノード６１ｃは、「正常」が連関度ｗ１７で、また「要注意先」が連関度ｗ１８で関連付けられている。このような連関度の結果、ｗ１７、ｗ１８に基づいて、実際に探索解を求めていくことになる。
【０１０１】
このような入力パラメータの種類を３種類以上にわたり組み合わせる場合には、参照用財務情報に加え、参照経営計画情報、参照用経営計画情報、参照用知的資産情報、参照用市況情報、参照用外部環境情報の何れか２以上で組み合わせが構成されたものであっても適用可能である。
【０１０２】
第２実施形態
以下、第２実施形態について説明をする。この第２実施形態を実行する上では、第１実施形態において使用する融資先信用度判定システム１、情報取得部９、探索装置２、データベース３を同様に使用する。これらの各構成の説明は、第１実施形態の説明を引用することで以下での説明を省略する。
【０１０３】
第２実施形態では、例えば図１１に示すように、参照用財務情報と、参照用市況情報との組み合わせと、当該組み合わせに対する融資先の個人の信用度との３段階以上の連関度が設定されている例を示している。これらのデータセットから学習済みモデルを作る上で、この信用度は、実際に過去において判定された個人のみならず、架空のペルソナを設定し、これについて金融機関等が判定した信用度を学習データに含めてもよい。
【０１０４】
この第２実施形態では、参照用財務情報と、以下に示す参照用情報との組み合わせと、当該組み合わせに対する信用度との３段階以上の連関度が設定されている例を示している。
【０１０５】
ここでいう参照用情報は、以下の何れかで構成される。
【０１０６】
先ず融資先が個人の場合における参照用情報は、参照用消費行動情報、参照用取引情報、参照用信用履歴情報、参照用人脈情報、参照用第一印象情報、参照用性格情報、参照用将来性情報、参照用趣向情報、参照用属性情報、参照用地域情報、参照用評判情報の何れか１以上で構成される。これらの各参照用情報は過去の融資先の個人から取得したものである。以下、融資先が個人の場合におけるこれらの参照用情報の詳細について説明をする。
【０１０７】
参照用消費行動情報は、過去の融資先の個人におけるそれまでの消費行動に関するあらゆる情報である。ここでいう過去の融資先の個人は、実際に融資を行った個人に限定されるものでは無く、それぞれ架空の個人を設定し、これについて金融機関が信用度を設定することで得たデータを活用してもよい。
【０１０８】
具体的には、この参照用消費行動情報は、過去の融資先の個人がそれまでにどのようなモノやサービスを購入してきたかを示す情報である。つまり、ここでいう消費行動は、それまでに購入したあらゆる製品やサービスを対象としたところまで含まれる。個人事業主であれば、帳簿からこれらの購買情報を抽出するようにしてもよい。またレシート等からこれらの購買情報を注するようにしてもよい。この参照消費行動情報は、ＥＣ（電子商取引）サイトでの販売、購入履歴、クラウド会計情報から取り込んだ購買履歴も含めてもよい。また参照用消費行動情報は、今までの行ってきた購買において実際に何をどの程度の比率で購入しているかを統計的に示したものであってもよい。例えば、ある個人は、年間に使ったお金のうち、１/４は、住宅の家賃のために消費し、その１/４は食費、他の１/４は趣味のゴルフ、１/４は、衣類や雑貨等を買っている等、購買対象の内訳を比率で示してもよい。この参照用消費行動情報を上述した参照用情報Ｐ３４〜Ｐ３６に当てはめる場合には、例えば参照用情報Ｐ３４は、先月に行った購買の中で最も多かったのが、衣服が１５％、食費が１３％、交際費が１０％、・・・であり、参照用情報Ｐ３５は、先月に行った購買の中で最も多かったのが、家賃２５％、食費が２０％、自動車が１４％、・・・等である。
【０１０９】
参照用取引情報は、過去の融資先の個人におけるそれまでの取引に関するあらゆる情報である。参照用消費行動情報は、実態に何にお金を使ってきたかを示す情報であるのに対して、この参照用取引情報は、実際の売買や取引においてどの程度フェアに行っていたか、また、誠実なトレードを行ってきたか、また取引相手の誠実性や安全性を示すものである。また参照用取引情報は、取引する金額や規模感も含まれる。この参照用取引情報は、金融機関における銀行口座への入出金や決済データから取得することができる。これらから入出金情報を得ることができる。また、参照用取引情報は、見積書、納品書、請求書から取得することができ、例えばＥＣ（電子商取引）サイトでの販売、購入であれば、そのＥＣサイトから取得することもできる。また、この参照用取引情報は、実際にＥＣサイトを通じて売買を行った製品やサービスについて、評価者による評価内容も反映されるものであってもよい。評価内容が高いほど、より正当でしかもフェアな消費行動、購買を行ったものとみなすことができる。納品物の質の高さや納品の期日順守、取引前のメッセージの丁寧さ等の情報から参照用取引情報を抽出してもよい。またＥＣサイトを通じて行った取引において納品したものについて欠陥があった場合、そのＥＣサイトにおける書き込みを通じてこれを抽出することで、評価内容を下げるように制御してもよい。参照用取引情報は、過去の注文データから判別した不正取引の有無が反映されるものであってもよい。ここでいう不正取引の判別は、一日１回しか購入できない格安商品を、名前を変えて沢山購入したり、住所を上手く変更することで同一人であることが判別されないようにして購入している場合に、これをインターネット上の監視技術を通じて抽出するようにしてもよい。取引相手の誠実性や安全性は、口座入出金明細、会計データ、ＷＥＢサイト、決算明細書、帳簿情報から抽出してもよい。この抽出する際には、より危険性の高い取引相手について予め取得して学習させておき、機械学習を通じてこれらの口座入出金明細、会計データ、ＷＥＢサイト、決算明細書等から判別するようにしてもよい。また、取引相手と過去において交渉を行い、その取引履歴が紙媒体の文書やその文書の電子データを保有している場合には、この取引履歴文書から参照用取引情報を抽出してもよい。また、個人が自営業者であれば、その自営業を行う上で立ち上げたサイトやＳＮＳ等に記載された主要取引先情報から参照用取引情報を抽出してもよい。この参照用消費行動情報を上述した参照用情報Ｐ３４〜Ｐ３６に当てはめる場合には、例えば参照用情報Ｐ３４は、取引先が〇×株式会社、書籍１０冊を２万３千円で販売、ＥＣサイトによる評価は５段階評価の中で４点、参照用情報Ｐ３５は、取引先が△◆株式会社、ＰＣを５万５千円で購入、ＥＣサイトによる評価は５段階評価の中で２点、等である。
【０１１０】
参照用信用履歴情報は、過去の融資先の個人におけるそれまでの信用履歴に関するあらゆる情報である。参照用信用履歴情報の例としては、クレジットローンの返済を怠ったり、携帯電話等の通信料の滞納の履歴の有無やその程度、年金や健康保険の支払い状況や滞納の履歴、税金の滞納等、自ら加入している保険の書類、過去に債務整理や自己破産歴があるか否か等である。この参照用信用履歴情報は、銀行の入出金履歴から取得するようにしてもよい。この参照用信用履歴情報を上述した参照用情報Ｐ３４〜Ｐ３６に当てはめる場合には、例えば参照用情報Ｐ３４は、過去において携帯電話やクレジットローンの延滞歴は０、参照用情報Ｐ３５は、過去においてクレジットローンの延滞歴は3回、参照用情報Ｐ３６は、過去において携帯電話の通話料の延滞歴は１回、等である。
【０１１１】
参照用人脈情報は、過去の融資先の個人の交友関係や人脈に関するあらゆる情報である。この参照用人脈情報は、例えば、論文や特許公報において記載されている著者、発明者に関する情報から抽出してもよい。一の論文や特許公報において連名で共著者、発明者が並んでいる場合には、通常それらの共著者、発明者はその論文や特許を出す上で一緒に仕事をしてきたわけであり、その分においてつながりが深く、互いに人脈が形成されているといえる。また、インターネットサイト上からイベントや各種発表を共同で企画していた場合、その共同参画者は連名でサイト上に掲載されていることが多いことから、共同参画者間で互いに人脈が形成されている場合が多い。また企業の役員等で名前を連ねている場合も、これらの役員間で互いに人脈が形成されているものと考えることができる。参照用人脈情報は、このような人脈を抽出する。参照用人脈情報は、その人脈において要注意人物、危険人物、或いは各種功績を残した人物、有名な人物等が含まれている場合にその旨のスコアや評価情報が盛り込まれている。この参照用人脈情報を上述した参照用情報Ｐ３４〜Ｐ３６に当てはめる場合には、例えば参照用情報Ｐ３４は、人脈として〇〇賞を受賞した人物〇×が含まれている、参照用情報Ｐ３５は、過去に犯罪を犯した人物▲◆が含まれている等である。
【０１１２】
参照用第一印象情報は、過去の融資先の個人の第一印象に関するあらゆる情報である。この参照用第一印象情報としては、その過去の融資先の個人の顔画像や発した声等を通じて取得することができる。顔画像はカメラを通じて撮影された顔写真やデジタル画像で構成され、静止画及び動画の何れであってもよい。声は、マイクロフォンを通じて録音された音声である。このような顔画像や音声は、それぞれ解析される。顔画像は、画像解析、必要に応じてディープラーニング技術を利用し、解析画像の特徴量に基づいて自動判別し、データ化してもよい。例えば顔画像を通じて嘘をついて自信のなさそうな部分や、悪意が含まれてる部分等、信用面に影響を及ぼす特徴を抽出することができる。音声についても嘘をついたり自信のない言動、今までと違った言動を繰り返すなど、信用面に影響を及ぼす特徴を抽出する。音声も既存の解析技術や機械学習を利用した特徴的なイントネーションやアクセントの抽出を通じて、信用面に影響を及ぼす特徴を抽出するようにしてもよい。参照用第一印象情報は、顔画像と音声の双方、或いは顔画像、音声の何れか一方からなるものであってもよい。
【０１１３】
参照用性格情報は、過去の融資先の個人の性格に関するあらゆる情報である。この性格は、例えば、短気、気が長い、薄情、強情、温和、強気、弱気、虚偽の言動が多い、面倒見がいい、目上の人には礼儀正しい、約束は必ず守る、約束を頻繁に反故にする、等である。この性格は、例えば、ＳＮＳや各種情報サイトへの書き込み、金融機関が聴取した履歴書の内容、或いは性格診断テストや気質分析テスト等から取得したデータを活用してもよい。この参照用性格情報を上述した参照用情報Ｐ３４〜Ｐ３６に当てはめる場合には、例えば参照用情報Ｐ３４は、気が弱くて薄情、参照用情報Ｐ３５は、強気だが思いやりがある、等である。
【０１１４】
参照用将来性情報は、過去の融資先の個人の将来性に関するあらゆる情報である。この参照用将来性情報は、学歴と現在の勤務先からスコア化するようにしてもよいし、現在の勤務先における役職や勤続年数、年収等もそのスコアに含めるようにしてもよい。またこれまでの転職履歴があればその履歴情報と培ってきたキャリアの情報があればそれも取得するようにしてもよい。このような参照用将来性情報は、例えば金融機関に提出する申請書る等に、このような履歴書、職務経歴書に記載するような欄があればそこから抽出するようにしてもよい。また資格の有無、役職への昇進スピード、留学経験、出向の経験等もこの参照用将来性情報の説明変数としてもよい。更に、特許の発明者や論文の著者に名前を連ねている場合には、これも参照用将来性情報の説明変数として加えてもよい。この参照用将来性情報を上述した参照用情報Ｐ３４〜Ｐ３６に当てはめる場合には、例えば参照用情報Ｐ３４は、〇×大学卒で◆◆企業で勤続１５年で役職は課長、５年前に〇△社に出向、参照用情報Ｐ３５は、◇〇大学卒で〇〇企業に５年間勤務後、独立して〇□×業を営む、現在年商５千万円で従業員数２人等である。
【０１１５】
参照用趣向情報は、過去の融資先の個人の趣味は特技に関するあらゆる情報である。趣味は、例えば、ゴルフ、釣り、麻雀、ランニング、ビリヤード、ボーリング、読書、スポーツ観戦、ドライブ、マリンスポーツ等であり、特技は、珠算２段、書道３段、バイオリン（〇〇コンクール入賞）、手品、茶道（高校時代、茶道部部長）等である。参照用趣向情報は、趣味、特技の双方が必ずしも必要ではなく、何れか一方のみで構成されていてもよい。この参照用趣向情報を上述した参照用情報Ｐ３４〜Ｐ３６に当てはめる場合には、例えば参照用情報Ｐ３４は、趣味：釣り、特技：書道３段であり、参照用情報Ｐ３５は、趣味：マリンスポーツ、特技：茶道（高校時代、茶道部部長）等である。
【０１１６】
参照用属性情報は、過去の融資先の個人の属性に関するあらゆる情報である。参照用属性情報は、当該個人の年齢や健康状態、年収、生年月日、出身地、家庭環境（妻が妊娠中、家族が障害や病気を追っている、祖父母と同居しているか否か、被介護者が自宅に居るか否か、被災しているか否か、ＤＶや虐待の有無や程度、離婚しているか否か、世帯収入、生活保護の有無、妻子の有無及びその年齢構成等、子供の就学状況）、また子供が就学中であれば、その学費と今後かかる見込みの学費、当該個人が現在就職活動中か、就業中か等も含まれる。健康状態については、当該個人が全くの健康体であるか、或いは先天的に何らかの障害があるのか否かと障害の程度、また生まれた後に後天的に発生した障害があるか否かとその障害の程度、また生後に何らかの疾病にかかったか否か、現状もその疾病が継続しているか否かとその程度、アレルギーの状態、炎症の状態、怪我の状態、持病の状態、服用している薬剤の状況等、健康状態を示すあらゆる情報が含まれる。この参照用属性情報に含まれる健康状態は、心拍数や脈拍数、血液データ、心電図データ、Ｘ線画像等、医療データそのものから導かれたものであってもよい。これらは何れも各家庭からの申告や提出文書、医師の診断書等を通じて得られるものであってもよい。この参照用属性情報を上述した参照用情報Ｐ３４〜Ｐ３６に当てはめる場合には、例えば参照用情報Ｐ３４は、年齢４６歳、出身地：静岡、年収〇万円、〇×企業に勤務、家庭環境：妻と長男、長女の４人家族、長男は高校性、長女は中学生、健康状態：過去に胃潰瘍で手術した経験があり、参照用情報Ｐ３５は、年齢３８歳、出身地：東京、年収〇万円、▲〇企業に勤務、家庭環境：妻と長女の３人家族、長女は小学生、健康状態：良好等である。
【０１１７】
参照用地域情報は、過去の融資先の個人が属する地域に関する情報である。ここでいう個人が属する地域とは、現住所の地域のみならず、勤務先の地域、前の住所の地域、更には出身地も含まれる。この参照用地域情報は、関東地方や東京都等といった括りでもよいが、市区町村、町名、番地レベルで細分化されていてもよい。このようにグループ化、細分化された地域がある中で、各セグメント化された地域における景況感、イベント、事故、事件、災害、伝染病等がこの参照用地域情報として反映される。この参照用業界情報は第1実施形態における参照用外部環境情報に支配される要素も含まれていることから、この参照用外部環境情報を引用することで構成してもよい。この参照用地域情報を上述した参照用情報Ｐ３４〜Ｐ３６に当てはめる場合には、例えば参照用情報Ｐ３４は、東京都千代田区では、〇〇事件が発生、参照用情報Ｐ３５は、奈良県は景況感指数〇〇等である。
【０１１８】
参照用評判情報は、過去の融資先の個人の評判に関する情報である。この評判は、例えば、ＳＮＳやインターネット上の掲示板における評判、その個人が販売する商品や、運営するイベントに関する評判、個人が運営するブログにおける評価や評判等である。参照用評判情報は、主としてインターネット上のＳＮＳ、ブログ、情報サイト、掲示板等から取得する。この参照用評判情報を上述した参照用情報Ｐ３４〜Ｐ３６に当てはめる場合には、例えば参照用情報Ｐ３４は、自社の運営している情報サイトで著作権、肖像権等の権利関係の問題を起こしたことがある、参照用情報Ｐ３５は、ＳＮＳを通じて名指しで誹謗中傷等を行なったことがある等である。
【０１１９】
融資先が法人の場合における参照用情報は、参照用専門家意見情報、参照用取引情報、参照用信用履歴情報、参照用企業倫理情報、参照用将来性情報、参照用属性情報、参照用業界情報、参照用経営者情報、参照用地域情報、参照用評判情報の何れか１以上で構成される。これらの各参照用情報は過去の融資先の個人から取得したものである。以下、融資先が個人の場合におけるこれらの参照用情報の詳細について説明をする。
【０１２０】
参照用専門家意見情報は、参照用財務情報に対して発表された専門家の意見が反映された情報である。ここでいう過去の融資先の法人は、実際に融資を行った法人に限定されるものでは無く、それぞれ架空の法人を設定し、これについて金融機関が信用度を設定することで得たデータを活用してもよい。
【０１２１】
参照用専門家意見情報は、参照用財務情報に対して専門家による見解が示されたあらゆる情報を意味し、アナリストレポートや新聞記事等に掲載されている各企業の株の増減の理由に関する専門家のコメント、今後の売上や利益の見通し、予測、見解等である。また、参照用専門家意見情報は、単に各企業の株が上がるか、下がるか、変わらないか、に関する予想そのものであってもよい。この参照用専門家意見情報としては、日経平均先物全体に関する意見、或いは特定のセグメント、業種に関する意見、更には個々の銘柄に関する意見の何れも含まれる。また参照用専門家意見情報としては、インターネット上に掲載される専門家（アナリスト）によるアナリストレポートや上昇又は下落の予想を取り込んでくるものであってもよい。
【０１２２】
参照用取引情報は、過去の融資先の法人におけるそれまでの取引に関するあらゆる情報である。参照用取引情報は、実際の売買や取引においてどの程度フェアに行っていたか、また、誠実なトレードを行ってきたか、また取引相手の誠実性や安全性を示すものである。また参照用取引情報は、取引する金額や規模感も含まれる。この参照用取引情報は、金融機関における銀行口座への入出金や決済データから取得することができる。これらから入出金情報を得ることができる。また、参照用取引情報は、見積書、納品書、請求書から取得することができ、例えばＥＣ（電子商取引）サイトでの販売、購入であれば、そのＥＣサイトから取得することもできる。また、この参照用取引情報は、実際にＥＣサイトを通じて売買を行った製品やサービスについて、評価者による評価内容も反映されるものであってもよい。評価内容が高いほど、より正当でしかもフェアな消費行動、購買を行ったものとみなすことができる。納品物の質の高さや納品の期日順守、取引前のメッセージの丁寧さ等の情報から参照用取引情報を抽出してもよい。またＥＣサイトを通じて行った取引において納品したものについて欠陥があった場合、そのＥＣサイトにおける書き込みを通じてこれを抽出することで、評価内容を下げるように制御してもよい。参照用取引情報は、過去の注文データから判別した不正取引の有無が反映されるものであってもよい。ここでいう不正取引の判別は、一日１回しか購入できない格安商品を、名前を変えて沢山購入したり、住所を上手く変更することで同一人であることが判別されないようにして購入している場合に、これをインターネット上の監視技術を通じて抽出するようにしてもよい。取引相手の誠実性や安全性は、口座入出金明細、会計データ、ＷＥＢサイト、決算明細書、帳簿情報から抽出してもよい。この抽出する際には、より危険性の高い取引相手について予め取得して学習させておき、機械学習を通じてこれらの口座入出金明細、会計データ、ＷＥＢサイト、決算明細書等から判別するようにしてもよい。また、取引相手と過去において交渉を行い、その取引履歴が紙媒体の文書やその文書の電子データを保有している場合には、この取引履歴文書から参照用取引情報を抽出してもよい。また、法人が立ち上げたサイトやＳＮＳ等に記載された主要取引先情報から参照用取引情報を抽出してもよい。この参照用消費行動情報を上述した参照用情報Ｐ３４〜Ｐ３６に当てはめる場合には、例えば参照用情報Ｐ３４は、取引先が〇×株式会社、製品としてＬＥＤ電球１万個を〇〇円で販売、ＥＣサイトによる評価は５段階評価の中で４点、参照用情報Ｐ３５は、取引先が△◆株式会社、５万５千円のＰＣを４０台販売、ＥＣサイトによる評価は５段階評価の中で５点、等である。
【０１２３】
参照用信用履歴情報は、過去の融資先の法人におけるそれまでの信用履歴に関するあらゆる情報である。参照用信用履歴情報の例としては、クレジットローンの返済を怠ったり、携帯電話等の通信料の滞納の履歴の有無やその程度、企業が支払うべき年金や健康保険の支払い状況や滞納の履歴、納税の滞納等、自ら加入している保険の書類、過去に債務整理や自己破産歴があるか否か等である。この参照用信用履歴情報は、銀行の入出金履歴から取得するようにしてもよい。この参照用信用履歴情報を上述した参照用情報Ｐ３４〜Ｐ３６に当てはめる場合には、例えば参照用情報Ｐ３４は、過去において携帯電話やクレジットローンの延滞歴は０、参照用情報Ｐ３５は、過去においてクレジットローンの延滞歴は3回、参照用情報Ｐ３６は、過去において携帯電話の通話料の延滞歴は１回、等である。
【０１２４】
参照用企業倫理情報は、過去の融資先の法人におけるそれまでの企業倫理に関するあらゆる情報である。ここでいう企業倫理とは、廃棄物をきちんと処理をしているか、工場から公害を発生させていないが、近隣の住民に対する配慮が行われているか等であるがこれに限定されるものでは無く、特許権の侵害や法律違反、技術流出や個人情報の流出等の不祥事やトラブル、脱税や、各種犯罪でニュースになっていた場合もこの参照用企業倫理情報に反映させるようにしてもよい。例えば、不当解雇やパワハラ、残業方による過労死や自殺等でニュースになった場合には、そのニュース情報をインターネット上の各種情報サイトから取り込んでくることにより、この参照用企業倫理情報を形成するようにしてもよい。この参照用企業倫理情報を上述した参照用情報Ｐ３４〜Ｐ３６に当てはめる場合には、例えば参照用情報Ｐ３４は、防衛機密情報〇〇の流出、参照用情報Ｐ３５は、パワハラで社員が自殺等である。
【０１２５】
参照用将来性情報は、過去の融資先の法人の将来性に関するあらゆる情報である。この参照用将来性情報は、その企業が今後大きく伸びていく可能性が有れば信用度が高くなるように、またその企業が今後停滞する可能性が高い場合には信用度が低くなるように設定するための説明変数である。参照用将来性情報は、その企業の研究開発に関する取組から抽出されるものであってもよく、例えば、その企業が出した特許公報や論文、技報のテキストデータから、将来の市場ニーズに合致するキーワードを含む特許出願等が何件出ているか、その業界における全特許出願件数に対する割合に基づいてスコア化してもよいし、ニュース記事において将来の成長や売上増につながる内容からその参照用将来性情報をスコア化してもよい。将来性が暗くなるようなニュース記事からも同様に参照用将来性情報をスコア化してもよい。また、法人の将来性は、その業界の将来性が高ければ、そこに属する法人の将来性も同様に高くなる傾向があることから、第１実施形態における市場将来性情報を引用してきてもよい。
【０１２６】
参照用属性情報は、過去の融資先の法人の属性に関するあらゆる情報である。ここでいう属性とは、その法人の業種や技術分野、歴史、沿革、資本金、規模、従業員数、設立年数等が含まれるが、これに限定されるものでは無く、社風や従業の士気、採用者数等も含まれる。
【０１２７】
参照用業界情報は、過去の融資先の法人の属する業界に関するあらゆる情報である。参照用業界情報は、その業界の歴史や、グローバル環境におけるその業界のポジション、業界としての成長性、商慣習、需給関係、ＫＳＦ、ＫＢＦ、その業界のビジネスモデル、カネやモノの流れ等の情報である。この参照用業界情報は第1実施形態における参照用市況情報や参照用外部環境情報に支配される要素も含まれていることから、これら参照用市況情報や参照用外部環境情報を引用することで構成してもよい。
【０１２８】
参照用経営者情報は、過去の融資先の法人の経営者に関するあらゆる情報である。ここでいる経営者とは、社長のみならず、経営に参画する役員も含む。この参照用経営者情報は、経営者のキャリア、実績に加え、経営者の年齢や健康状態、年収、生年月日、出身地、家庭環境を含む。また経営者としての名声、賞罰、スキャンダル等も説明変数に加えてスコア化してもよい。これに加えて経営者の第一印象に関するあらゆる情報をこの参照用経営者情報に含めてもよい。かかる場合は、上述した参照用第一印象情報と同様に、経営者の顔画像や発した声等を通じて取得することができる。取得した経営者の顔画像や音声は、それぞれ解析される。顔画像は、画像解析、必要に応じてディープラーニング技術を利用し、解析画像の特徴量に基づいて自動判別し、データ化してもよい。例えば顔画像を通じて嘘をついて自信のなさそうな部分や、悪意が含まれてる部分等、信用面に影響を及ぼす特徴を抽出することができる。音声についても嘘をついたり自信のない言動、今までと違った言動を繰り返すなど、信用面に影響を及ぼす特徴を抽出する。音声も既存の解析技術や機械学習を利用した特徴的なイントネーションやアクセントの抽出を通じて、信用面に影響を及ぼす特徴を抽出するようにしてもよい。顔画像と音声の双方、或いは顔画像、音声の何れか一方からなるものであってもよい。
【０１２９】
参照用地域情報は、過去の融資先の法人が属する地域に関する情報である。ここでいう法人が属する地域とは、法人が立地する住所の地域である。この参照用地域情報は、関東地方や東京都等といった括りでもよいが、市区町村、町名、番地レベルで細分化されていてもよい。このようにグループ化、細分化された地域がある中で、各セグメント化された地域における景況感、イベント、事故、事件、災害、伝染病等がこの参照用地域情報として反映される。この参照用業界情報は第1実施形態における参照用外部環境情報に支配される要素も含まれていることから、この参照用外部環境情報を引用することで構成してもよい。この参照用地域情報を上述した参照用情報Ｐ３４〜Ｐ３６に当てはめる場合には、例えば参照用情報Ｐ３４は、東京都千代田区では、〇〇事件が発生、参照用情報Ｐ３５は、奈良県は景況感指数〇〇等である。
【０１３０】
参照用評判情報は、過去の融資先の法人の評判に関する情報である。この評判は、例えば、ＳＮＳやインターネット上の掲示板における評判、その法人が販売する製品又はサービスや、運営するイベントに関する評判、法人が運営するブログにおける評価や評判等である。参照用評判情報は、主としてインターネット上のＳＮＳ、ブログ、情報サイト、掲示板等から取得する。この参照用評判情報を上述した参照用情報Ｐ３４〜Ｐ３６に当てはめる場合には、例えば参照用情報Ｐ３４は、法人の運営している情報サイトで著作権、肖像権等の権利関係の問題を起こしたことがある、参照用情報Ｐ３５は、ＳＮＳを通じてその法人が慈善団体か抗議を受けたことがある等である。
【０１３１】
次に、この第２実施形態において、信用度の解を探索することになるが、その方法の詳細は、第１実施形態と同様であるため、第１実施形態の説明を引用することにより、以下での説明は省略する。
【０１３２】
例えば、個人向けの融資の場合には、財務情報に加えて、消費行動情報、取引情報、信用履歴情報、人脈情報、第一印象情報、性格情報、将来性情報、趣向情報、属性情報、地域情報、評判情報の何れかを取得する。この取得する情報に応じた参照用情報と、上述した参照用財務情報との組み合わせと、当該組み合わせに対する信用度との３段階以上の連関度を予め設定しておく。ここで、消費行動情報は、参照用消費行動情報に対応し、取引情報は、参照用取引情報に対応し、信用履歴情報は、参照用信用履歴情報に対応し、人脈情報は、参照用人脈情報に対応し、第一印象情報は、参照用第一印象情報に対応し、性格情報は、参照用性格情報に対応し、将来性情報は、参照用将来性情報に対応し、趣向情報は、参照用趣向情報に対応し、属性情報は、参照用属性情報に対応し、地域情報は、参照用地域情報に対応し、評判情報は、参照用評判情報に対応する。これら、消費行動情報、取引情報、信用履歴情報、人脈情報、第一印象情報、性格情報、将来性情報、趣向情報、属性情報、地域情報、評判情報の取得方法は、それぞれに応じた参照用情報と同様である。
【０１３３】
例えば、消費行動情報を取得する場合には、事前に参照用財務情報と、図１１に示す参照用情報としての参照用消費行動情報との組み合わせと、当該組み合わせに対する信用度との３段階以上の連関度からなる学習用データを作っておく。
【０１３４】
図１１の例では、入力データとして例えば参照用財務情報Ｐ０１〜Ｐ０３、参照用情報Ｐ３４〜３７には、それぞれ参照用消費行動情報Ｐ３４〜３７が入る。このような入力データとしての、参照用財務情報に対して、参照用消費行動情報が組み合わさったものが、図１１に示す中間ノードである。各中間ノードは、更に出力に連結している。この出力においては、出力解としての信用度が表示されている。
【０１３５】
参照用財務情報と参照用消費行動情報との各組み合わせ（中間ノード）は、この出力解としての信用度に対して３段階以上の連関度を通じて互いに連関しあっている。参照用財務情報と参照用消費行動情報がこの連関度を介して左側に配列し、信用度が連関度を介して右側に配列している。連関度は、左側に配列された参照用財務情報と参照用消費行動情報に対して、各信用度と関連性が高いかの度合いを示すものである。換言すれば、この連関度は、各参照用財務情報と参照用消費行動情報が、いかなる信用度に紐付けられる可能性が高いかを示す指標であり、参照用財務情報と参照用消費行動情報から最も確からしい各信用度を選択する上での的確性を示すものである。財務情報に加え、実際にその消費行動に応じて、判断することができ、資金回収の可能性は異なるものとなる。このため、これらの参照用財務情報と参照用消費行動情報の組み合わせで、最適な信用度を探索していくこととなる。
【０１３６】
図１１の例では、連関度としてｗ１３〜ｗ２２が示されている。このｗ１３〜ｗ２２は表１に示すように１０段階で示されており、１０点に近いほど、中間ノードとしての各組み合わせが出力と互いに関連度合いが高いことを示しており、逆に１点に近いほど中間ノードとしての各組み合わせが出力と互いに関連度合いが低いことを示している。
【０１３７】
探索装置２は、このような図１１に示す３段階以上の連関度ｗ１３〜ｗ２２を予め取得しておく。つまり探索装置２は、実際の探索解の判別を行う上で参照用財務情報と参照用消費行動情報、並びにその場合の信用度の何れが好適であったか、過去のデータを蓄積しておき、これらを分析、解析することで図１１に示す連関度を作り上げておく。
【０１３８】
この分析、解析は人工知能により行うようにしてもよい。かかる場合には、例えば参照用財務情報Ｐ０１で、参照用情報（参照用消費行動情報）Ｐ３６である場合に、その信用度を過去のデータから分析する。信用度が「破綻可能性有」の事例が多い場合には、この「破綻可能性有」につながる連関度をより高く設定し、「正常」の事例が多く、「破綻可能性有」の事例が少ない場合には、「正常」につながる連関度を高くし、「破綻可能性有」につながる連関度を低く設定する。例えば中間ノード６１ａの例では、「破綻可能性有」と「正常」の出力にリンクしているが、以前の事例から「破綻可能性有」につながるｗ１３の連関度を７点に、「正常」につながるｗ１４の連関度を２点に設定している。
【０１３９】
また、この図１１に示す連関度は、人工知能におけるニューラルネットワークのノードで構成されるものであってもよい。即ち、このニューラルネットワークのノードが出力に対する重み付け係数が、上述した連関度に対応することとなる。またニューラルネットワークに限らず、人工知能を構成するあらゆる意思決定因子で構成されるものであってもよい。
【０１４０】
図１１に示す連関度の例で、ノード６１ｂは、参照用財務情報Ｐ０１に対して、参照用情報（参照用消費行動情報）Ｐ３４の組み合わせのノードであり、「実質破綻」の連関度がｗ１５、「要管理先」の連関度がｗ１６となっている。ノード６１ｃは、参照用財務情報Ｐ０２に対して、参照用情報（参照用消費行動情報）Ｐ３５、Ｐ３７の組み合わせのノードであり、信用度の連関度がｗ１７、信用度の連関度がｗ１８となっている。
【０１４１】
このような連関度が、人工知能でいうところの学習済みデータとなる。このような学習済みデータを作った後に、実際にこれから信用度判定のための探索を行う際において、上述した学習済みデータを利用して行うこととなる。かかる場合には、新たに信用度の判定を行う企業から財務情報に加え、消費行動情報を取得する。この消費行動情報は、上述した参照用消費行動情報に対応するものである。
【０１４２】
このようにして新たに取得した財務情報、消費行動情報に基づいて、最適な信用度を探索する。かかる場合には、予め取得した図１１（表１）に示す連関度を参照する。例えば、新たに取得した財務情報がＰ０２と同一かこれに類似するものである場合であって、消費行動情報がＰ３７と同一かこれに類似する場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【０１４３】
この入力から伸びている連関度ｗ１〜ｗ１２に基づいて中間ノード６１が選択されていてもよい。つまり連関度ｗ１〜ｗ１２が大きいほど、中間ノード６１の選択における重みづけを重くしてもよい。しかし、この連関度ｗ１〜ｗ１２は何れも同じ値としてもよく、中間ノード６１の選択における重みづけは何れも全て同一とされていてもよい。
【０１４４】
他の取引情報、信用履歴情報、人脈情報、第一印象情報、性格情報、将来性情報、趣向情報、属性情報、地域情報、評判情報を取得する場合もこれらに応じた参照用情報を図１１に示すように参照用財務情報との組み合わせで同様に学習用データを作っておく。そして、実際に取得した取引情報、信用履歴情報、人脈情報、第一印象情報、性格情報、将来性情報、趣向情報、属性情報、地域情報、評判情報と、その個人の財務情報を取得し、予め取得した連関度を参照して同様に信用度を求めることができる。
【０１４５】
なお、財務情報に加えて、消費行動情報、取引情報、信用履歴情報、人脈情報、第一印象情報、性格情報、将来性情報、趣向情報、属性情報、地域情報、評判情報の何れか２以上を取得する場合には、その取得する２以上の情報に応じた、２以上の参照用情報を参照用財務情報との組み合わせと、当該組み合わせに対する信用度との３段階以上の連関度からなる学習用データを作っておくことで、同様に信用度の解探索を行うことができる。かかる場合の具体的な方法は、第１実施形態の図１０の説明と同様であることから、かかる説明を引用することで以下での説明を省略する。
【０１４６】
また、財務状情報に加えて、消費行動情報、取引情報、信用履歴情報、人脈情報、第一印象情報、性格情報、将来性情報、趣向情報、属性情報、地域情報、評判情報の何れか１以上に加え、更に、第１実施形態における経営計画情報、知的資産情報、市況情報、外部環境情報を取得する場合も同様に、その取得する情報に応じた参照用経営計画情報、参照用知的資産情報、参照用市況情報、参照用外部環境情報との組み合わせと、当該組み合わせに対する信用度との３段階以上の連関度からなる学習用データを作っておくことで、同様に信用度の解探索を行うことができる。かかる場合の具体的な方法は、第１実施形態の図１０の説明と同様であることから、かかる説明を引用することで以下での説明を省略する。
【０１４７】
また、法人向けの融資の場合には、財務情報に加えて、専門家意見情報、取引情報、信用履歴情報、企業倫理情報、将来性情報、属性情報、業界情報、経営者情報、地域情報、評判情報の何れかを取得する。この取得する情報に応じた参照用情報と、上述した参照用財務情報との組み合わせと、当該組み合わせに対する信用度との３段階以上の連関度を予め設定しておく。ここで、専門家意見情報は、参照用専門家意見情報に対応し、取引情報は、参照用取引情報に対応し、信用履歴情報は、参照用信用履歴情報に対応し、企業倫理情報は、参照用企業倫理情報に対応し、将来性情報は、参照用将来性情報に対応し、属性情報は、参照用属性情報に対応し、業界情報は、参照用業界情報に対応し、経営者情報は、参照用経営者情報に対応し、地域情報は、参照用地域情報に対応し、評判情報は、参照用評判情報に対応する。
【０１４８】
例えば、専門家意見情報を取得する場合には、事前に参照用財務情報と、図１１に示す参照用情報としての参照用専門家意見情報との組み合わせと、当該組み合わせに対する信用度との３段階以上の連関度からなる学習用データを作っておく。
【０１４９】
図１１の例では、入力データとして例えば参照用財務情報Ｐ０１〜Ｐ０３、参照用情報Ｐ３４〜３７には、それぞれ参照用専門家意見情報Ｐ３４〜３７が入る。このような入力データとしての、参照用財務情報に対して、参照用専門家意見情報が組み合わさったものが、図１１に示す中間ノードである。各中間ノードは、更に出力に連結している。この出力においては、出力解としての信用度が表示されている。
【０１５０】
参照用財務情報と参照用専門家意見情報との各組み合わせ（中間ノード）は、この出力解としての信用度に対して３段階以上の連関度を通じて互いに連関しあっている。参照用財務情報と参照用専門家意見情報がこの連関度を介して左側に配列し、信用度が連関度を介して右側に配列している。連関度は、左側に配列された参照用財務情報と参照用専門家意見情報に対して、各信用度と関連性が高いかの度合いを示すものである。換言すれば、この連関度は、各参照用財務情報と参照用専門家意見情報が、いかなる信用度に紐付けられる可能性が高いかを示す指標であり、参照用財務情報と参照用専門家意見情報から最も確からしい各信用度を選択する上での的確性を示すものである。財務情報に加え、実際にその専門家意見情報に応じて、判断することができ、資金回収の可能性は異なるものとなる。このため、これらの参照用財務情報と参照用専門家意見情報の組み合わせで、最適な信用度を探索していくこととなる。
【０１５１】
図１１に示す連関度の例で、ノード６１ｂは、参照用財務情報Ｐ０１に対して、参照用情報（参照用専門家意見情報）Ｐ３４の組み合わせのノードであり、「実質破綻」の連関度がｗ１５、「要管理先」の連関度がｗ１６となっている。ノード６１ｃは、参照用財務情報Ｐ０２に対して、参照用情報（参照用専門家意見情報）Ｐ３５、Ｐ３７の組み合わせのノードであり、信用度の連関度がｗ１７、信用度の連関度がｗ１８となっている。
【０１５２】
このような連関度が、人工知能でいうところの学習済みデータとなる。このような学習済みデータを作った後に、実際にこれから信用度判定のための探索を行う際において、上述した学習済みデータを利用して行うこととなる。かかる場合には、新たに信用度の判定を行う企業から財務情報に加え、専門家意見情報を取得する。この専門家意見情報は、上述した参照用専門家意見情報に対応するものである。
【０１５３】
このようにして新たに取得した財務情報、専門家意見情報に基づいて、最適な信用度を探索する。かかる場合には、予め取得した図１１（表１）に示す連関度を参照する。例えば、新たに取得した財務情報がＰ０２と同一かこれに類似するものである場合であって、専門家意見情報がＰ３７と同一かこれに類似する場合には、連関度を介してノード６１ｄが関連付けられており、このノード６１ｄは、「実質破綻」がｗ１９、「要注意先」が連関度ｗ２０で関連付けられている。かかる場合には、連関度の最も高い「実質破綻」を最適解として選択する。但し、最も連関度の高いものを最適解として選択することは必須ではなく、連関度は低いものの連関性そのものは認められる「要注意先」を最適解として選択するようにしてもよい。また、これ以外に矢印が繋がっていない出力解を選択してもよいことは勿論であり、連関度に基づくものであれば、その他いかなる優先順位で選択されるものであってもよい。
【０１５４】
他の財務情報に加えて、取引情報、信用履歴情報、企業倫理情報、将来性情報、属性情報、業界情報、経営者情報、地域情報、評判情報を取得する場合もこれらに応じた参照用情報を図１１に示すように参照用財務情報との組み合わせで同様に学習用データを作っておく。そして、実際に取得した取引情報、信用履歴情報、企業倫理情報、将来性情報、属性情報、業界情報、経営者情報、地域情報、評判情報と、その法人の財務情報を取得し、予め取得した連関度を参照して同様に信用度を求めることができる。
【０１５５】
なお、財務情報に加えて、専門家意見情報、取引情報、信用履歴情報、企業倫理情報、将来性情報、属性情報、業界情報、経営者情報、地域情報、評判情報の何れか２以上を取得する場合には、その取得する２以上の情報に応じた、２以上の参照用情報を参照用財務情報との組み合わせと、当該組み合わせに対する信用度との３段階以上の連関度からなる学習用データを作っておくことで、同様に信用度の解探索を行うことができる。かかる場合の具体的な方法は、第１実施形態の図１０の説明と同様であることから、かかる説明を引用することで以下での説明を省略する。
【０１５６】
また、財務情報に加えて、消費行動情報、取引情報、信用履歴情報、人脈情報、第一印象情報、性格情報、将来性情報、趣向情報、属性情報、地域情報、評判情報の何れか１以上に加え、更に、第１実施形態における経営計画情報、知的資産情報、市況情報、外部環境情報を取得する場合も同様に、その取得する情報に応じた参照用経営計画情報、参照用知的資産情報、参照用市況情報、参照用外部環境情報との組み合わせと、当該組み合わせに対する信用度との３段階以上の連関度からなる学習用データを作っておくことで、同様に信用度の解探索を行うことができる。かかる場合の具体的な方法は、第１実施形態の図１０の説明と同様であることから、かかる説明を引用することで以下での説明を省略する。
【０１５７】
また本発明は、図１２に示すように参照用情報Ｕと参照用情報Ｖという２種類以上の情報の組み合わせの連関度に基づいて各信用度を判別するものである。この参照用情報Ｙが参照用財務情報であり、参照用情報が図１１に示す参照用情報Ｐ３４〜３７であるものとする。或いは、参照用情報Ｕが図１１に示す参照用情報Ｐ３４〜３７であり、参照用情報Ｖが、参照用財務情報であるものとする。
【０１５８】
このとき、図１２に示すように、参照用情報Ｕについて得られた出力をそのまま入力データとして、参照用情報Ｖとの組み合わせの中間ノード６１を介して出力と関連付けられていてもよい。例えば、参照用情報Ｕについて、出力解を出した後、これをそのまま入力として、他の参照用情報Ｖとの間での連関度を利用し、出力を探索するようにしてもよい。
【０１５９】
上述した連関度においては、１０段階評価で連関度を表現しているが、これに限定されるものではなく、３段階以上の連関度で表現されていればよく、逆に３段階以上であれば１００段階でも１０００段階でも構わない。一方、この連関度は、２段階、つまり互いに連関しているか否か、１又は０の何れかで表現されるものは含まれない。
【０１６０】
上述した構成からなる本発明によれば、特段のスキルや経験が無くても、誰でも手軽に融資を検討している企業の信用度の探索を行うことができる。また本発明によれば、この探索解の判断を、人間が行うよりも高精度に行うことが可能となる。更に、上述した連関度を人工知能（ニューラルネットワーク等）で構成することにより、これを学習させることでその判別精度を更に向上させることが可能となる。
【０１６１】
なお、上述した入力データ、及び出力データは、学習させる過程で完全に同一のものが存在しない場合も多々あることから、これらの入力データと出力データを類型別に分類した情報であってもよい。つまり、入力データを構成する情報Ｐ０１、Ｐ０２、・・・・Ｐ１５、１６、・・・は、その情報の内容に応じて予めシステム側又はユーザ側において分類した基準で分類し、その分類した入力データと出力データとの間でデータセットを作り、学習させるようにしてもよい。
【０１６２】
また、本発明によれば、３段階以上に設定されている連関度を介して最適な解探索を行う点に特徴がある。連関度は、上述した１０段階以外に、例えば０〜１００％までの数値で記述することができるが、これに限定されるものではなく３段階以上の数値で記述できるものであればいかなる段階で構成されていてもよい。
【０１６３】
このような３段階以上の数値で表される連関度に基づいてより信用度に関する信憑性が高く、誤認の低い信用度を判別することで、探索解の可能性の候補として複数考えられる状況下において、当該連関度の高い順に探索して表示することも可能となる。
【０１６４】
これに加えて、本発明によれば、連関度が１％のような極めて低い出力の判別結果も見逃すことなく判断することができる。連関度が極めて低い判別結果であっても僅かな兆候として繋がっているものであり、何十回、何百回に一度は、その判別結果として役に立つ場合もあることをユーザに対して注意喚起することができる。
【０１６５】
更に本発明によれば、このような３段階以上の連関度に基づいて探索を行うことにより、閾値の設定の仕方で、探索方針を決めることができるメリットがある。閾値を低くすれば、上述した連関度が１％のものであっても漏れなく拾うことができる反面、より適切な判別結果を好適に検出できる可能性が低く、ノイズを沢山拾ってしまう場合もある。一方、閾値を高くすれば、最適な探索解を高確率で検出できる可能性が高い反面、通常は連関度は低くてスルーされるものの何十回、何百回に一度は出てくる好適な解を見落としてしまう場合もある。いずれに重きを置くかは、ユーザ側、システム側の考え方に基づいて決めることが可能となるが、このような重点を置くポイントを選ぶ自由度を高くすることが可能となる。
【０１６６】
更に本発明では、上述した連関度を更新させるようにしてもよい。この更新は、例えばインターネットを始めとした公衆通信網を介して提供された情報を反映させるようにしてもよい。また市況情報に加え、イベント情報、外部環境情報、家計情報、不動産情報、専門家意見情報、自然環境情報に関する知見、情報、データを取得した場合、これらに応じて連関度を上昇させ、或いは下降させる。
【０１６７】
つまり、この更新は、人工知能でいうところの学習に相当する。新たなデータを取得し、これを学習済みデータに反映させることを行っているため、学習行為といえるものである。
【０１６８】
また、この連関度の更新は、公衆通信網から取得可能な情報に基づく場合以外に、専門家による研究データや論文、学会発表や、新聞記事、書籍等の内容に基づいてシステム側又はユーザ側が人為的に、又は自動的に更新するようにしてもよい。これらの更新処理においては人工知能を活用するようにしてもよい。
【０１６９】
また学習済モデルを最初に作り上げる過程、及び上述した更新は、教師あり学習のみならず、教師なし学習、ディープラーニング、強化学習等を用いるようにしてもよい。教師なし学習の場合には、入力データと出力データのデータセットを読み込ませて学習させる代わりに、入力データに相当する情報を読み込ませて学習させ、そこから出力データに関連する連関度を自己形成させるようにしてもよい。
【符号の説明】
【０１７０】
１  融資先信用度判定システム
２  探索装置
２１  内部バス
２３  表示部
２４  制御部
２５  操作部
２６  通信部
２７  推定部
２８  記憶部
６１  ノード
【要約】      （修正有）【課題】金融機関が融資先の信用度を自動的かつ高精度に判定する融資先信用度判定プログラムを提供する。【解決手段】融資先信用度判定システム１は、情報取得部９と、情報取得部９に接続された探索装置２と、探索装置２に接続されたデータベース３とを備えている。情報取得部９は、本システムを活用する者が各種コマンドや情報を入力するためのデバイスである。データベース３は、企業の財務内容を含む参照用財務情報や経営計画に関する参照用経営計画情報などを蓄積する。探索装置２は、ＰＣを始めとした電子機器で構成されており、ユーザは、この探索装置２による探索解を得ることができる。【選択図】図１【図１】
0006912837.tif 000004
【図２】
0006912837.tif 000005
【図３】
0006912837.tif 000006
【図４】
0006912837.tif 000007
【図５】
0006912837.tif 000008
【図６】
0006912837.tif 000009
【図７】
0006912837.tif 000010
【図８】
0006912837.tif 000011
【図９】
0006912837.tif 000012
【図１０】
0006912837.tif 000013
【図１１】
0006912837.tif 000014
【図１２】
0006912837.tif 000015